(57)【要約】  【課題】  離れた距離にある被写体の音声も録音できる録音及び撮影機能付装置を実現する。  【解決手段】  外部マイク２から微弱ＦＭ波のような無線で送信される音声情報を受信窓３を通して受信部１１にて受信するようにし、その受信した音声情報は音声モニター部１２からイヤホンジャック１３を通じてイヤホン６に出力され、被写体１０の音声情報のモニターができるようにする。  また、受信部１１で受信した音声情報は、音声データ作成部１４でディジタル信号であって且つ取り扱いやすい形式のデータに変換し、ファイル名作成部１６で作成されたファイル名を付けられて音声ファイル保存部１５で保存される。音声ファイル保存部１６での音声データの保存は、音声録音ボタン５で制御され、音声録音ボタン５がオンの状態の間に保存される。【選択図】        図１
2005295502.tif 000002
【特許請求の範囲】
【請求項１】
外部マイクにより収音され無線で送信される音声情報を受信できる受信部と、
上記受信部で受信された音声情報から音声データを作成する音声データ作成部と、
上記音声データ作成部で作成された音声データを保存する音声ファイル保存部と、
撮影により得られた画像情報から画像データを作成する画像データ作成部と、
上記画像データ作成部で作成された画像データを保存する画像ファイル保存部と、
上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部と、
を少なくとも備えたことを特徴とする録音及び撮影機能付電子機器。
【請求項２】
前記音声無線送信セットの前記外部マイクのスイッチングを、前記録音及び撮影機能付電子機器からの操作により為し得るようにした
ことを特徴とする請求項１記載の録音及び撮影機能付電子機器。
【請求項３】
外部マイクにより収音し、その収音した音声情報を送信部により無線の音声信号にして送信する音声無線送信セットと、
外部マイクにより収音され上記送信部により無線送信された上記音声無線送信セットからの音声情報を受信できる受信部、該受信部で受信された音声情報から音声データを作成する音声データ作成部、該音声データ作成部で作成された音声データを保存する音声ファイル保存部、撮影により得られた画像情報から画像データを作成する画像データ作成部、該画像データ作成部で作成された画像データを保存する画像ファイル保存部及び上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を少なくとも備えた録音及び撮影機能付電子機器と、
からなることを特徴とする録音及び撮像機能付装置。
【請求項４】
音声信号を伝達する経路の端子を着脱可能に接続される音声信号ジャックと、
上記音声信号ジャックを通じて入力された音声情報から音声データを作成する音声データ作成部と、
上記音声データ作成部で作成された音声データを保存する音声ファイル保存部と、
撮影により得られた画像情報から画像データを作成する画像データ作成部と、
上記画像データ作成部で作成された画像データを保存する画像ファイル保存部と、
上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部と、
を少なくとも備えたことを特徴とする録音及び撮影機能付電子機器。
【請求項５】
外部マイクに、前記音声ファイル保存部に対して音声データの保存動作をスタートさせたりストップさせたりストップさせたりするスイッチを設けた
ことを特徴とする請求項３記載の録音及び撮像機能付装置。
【請求項６】
前記音声ファイル保存部に、シャッターを押した時刻以前の時間と、シャッターを小塩江他時刻以後の時間をそれぞれ設定可能とし、この以前の時間と、シャッターを押していた時間と、以後の時間だけ音声データを保存するようにした
ことを特徴とする請求項１、２、４又は５記載の録音及び撮像機能付電子機器。
【請求項７】
外部マイクにより収音し、その収音した音声情報を送信部により無線信号にして送信する音声無線送信セットと、
上記音声無線送信セットからの無線信号による音声情報を受信し、それを端子から出力する音声無線受信セットと、
上記音声無線送信セットの上記端子が着脱可能に接続される音声信号ジャック、該音声信号ジャックを通じて入力された音声情報から音声データを作成する音声データ作成部、該音声データ作成部で作成された音声データを保存する音声ファイル保存部、撮影により得られた画像情報から画像データを作成する画像データ作成部、該画像データ作成部で作成された画像データを保存する画像ファイル保存部及び該音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を備えた録音及び撮影機能付電子機器と、
を有することを特徴とする録音及び撮像機能付装置。
【請求項８】
少なくとも録音ジャックを有し、該録音ジャックから入力された音声信号を録音する録音及び撮像機能付電子機器と、
マイク、上記録音ジャックに接続される端子及び携帯電話機の音声ジャックに接続される端子を備え、該両端子間及び上記マイクで音声信号の伝送をするようにしたマイクセットと、
を少なくとも備えた録音及び撮像機能付装置。
【請求項９】
携帯電話機の音声ジャックに接続される端子を備えた被写体側のマイクを有する
ことを特徴とする請求項８記載の録音及び撮像機能付装置。
【請求項１０】
少なくとも録音ジャックを有し、該録音ジャックから入力された音声信号を録音する録音機能付き撮影機能を備えた電子機器と、マイク、上記録音ジャックに接続される端子及び携帯電話機の音声ジャックに接続される端子を備え、該両端子間及び上記マイクロフォンで音声信号の伝送をするようにしたマイクセットを少なくとも備えた録音及び撮像機能付装置の使用方法であって、
市販の２台の携帯電話機を用意し、
上記マイクセットの端子を上記録音及び撮像機能付電子機器及び一方の携帯電話機の上記ジャックに接続し、
上記２台の携帯電話機間における通話機能を活かして被写体側の音声を上記録音及び撮像機能付電子機器に送って撮影に伴う録音を行う
ことを特徴とする録音及び撮像機能付装置の使用方法
【請求項１１】
イヤホンマイクの一つの端子からマイクロフォンへ音声信号を送るの線路とは別に、その音声信号を分岐させる線路が形成され、
上記分岐させる線路の端を以て、上記端子とは別の端子であってカメラの録音ジャックに接続される端子とされてなる
ことを特徴とするマイクセット。
【請求項１２】
イヤホンマイク、或いはそれからイヤホンを除いたものからなる
ことを特徴とする被写体側用のマイクセット。
【請求項１３】
被写体側の携帯電話機及び撮影側の携帯電話機からなり、
少なくとも、上記撮影側の携帯電話機は撮影機能を有する
ことを特徴とする録音及び撮像機能付装置。
【請求項１４】
前記撮影側の携帯電話機の撮影機能はズーム機能を有している
ことを特徴とする請求項１３記載の録音及び撮像機能付装置。
【請求項１５】
被写体側の携帯電話機及び撮影側の携帯電話機からなり、少なくとも、該撮影側の携帯電話機は撮影機能を有する録音及び撮像機能付装置の使用方法であって、
上記被写体側の携帯電話機と撮影側の携帯電話機携帯電話機間における通話機能を活かして被写体側の音声を撮影者側の携帯電話機に送って該撮影者側の携帯電話機にて撮影とその撮影に伴う録音とを行う
ことを特徴とする録音及び撮像機能付装置の使用方法。
【発明の詳細な説明】
【技術分野】
【０００１】
本発明は、録音及び撮像機能を備えた電子機器、例えばディジタルカメラ、ディジタルムービー、ＩＣレコーダ等と、録音及び撮像機能を備えた電子機器を本体とし、それに一つ又は二つのマイクセットを付加し、市販の２台の携帯電話機を活用してカメラから離れた被写体からの音声を良好に録音することができる録音及び撮像機能付装置或いは２台の携帯電話機からなる録音及び撮像機能付装置と、その使用方法と、それ等に用いるマイクに関する。
【背景技術】
【０００２】
カメラは、銀塩フィルムに撮影する従来型に代わり、固体撮像素子に撮像して得た撮像信号を例えばメモリカード等に記憶するディジタルカメラが普及し、主流になりつつある。
そして、そのディジタルカメラには、撮影時に音声を録音できるようにしたものがある（特開２００４−１２０１４７号参照）。
このような録音機能付カメラは、撮影に必要な機能を備えていることは当然であるが、更に、マイクロフォンを内蔵し、そのマイクロフォンで収音した信号を処理して音声データを音声ファイルとしてメモリカード等に保存する機能を有している。
【０００３】
図８はそのようなタイプのディジタルカメラの一例である、シャッターを押下している間画像を１秒あたり数十フレーム連続して撮影でき、同時に音声も録音できるディジタルカメラの概略構成を示すブロック図である。
図において、ａは撮像部で、被写体の画像を撮像し、画像情報を電気信号に変換し、液晶ディスプレイ等からなる画像モニター部ｂ及び画像データ作成部ｄへ送出する。画像モニター部ｂは撮像部ａからの画像情報を受けるその画像を再生表示する。
【０００４】
このディジタルカメラのシャッターｃが押下されると、撮像部ａで撮像された画像情報は、画像データ作成部ｄでディジタル信号であって且つ取り扱いやすい形式のデータに変換され、ファイル名作成部ｅにより作成されたファイル名がつけられて画像ファイル保存部ｆに送られる。画像ファイル保存部ｆに送られた画像ファイルは、メモリカード制御部ｇの制御によりメモリカードｈにより保存される。
【０００５】
被写体の音声は、内蔵マイク部ｋにおいて受信され、電気信号に変換される。そして、前述のシャッターｃが押下されたときは、その押下されている間、音声データ作成部ｍで内蔵マイクｋからの音声情報をディジタル信号であって且つ取り扱いやすい形式のデータに変換され続け、その押下されている間の音声情報が一つの音声ファイルとして上記ファイル作成部ｅで作成されたファイル名が付けられて画像ファイル保存部ｆに保存される。該画像ファイル保存部ｆに送られた音声ファイルは、メモリカード制御部ｇの制御により、メモリカードｈに保存される
【特許文献１】特開２００４−１２０１４７号
【発明の開示】
【発明が解決しようとする課題】
【０００６】
ところで、図８に示すような従来のディジタルカメラには、下記のような問題があった。第１に、内蔵マイクにより音声を録音するため、ディジタルカメラの周辺の音声しか録音できず、画像の方はズーム機能により遠くの被写体でも大きく写せるようになっているにも拘わらず、遠くの被写体の音声は録音できないという問題があった。
第２に、カメラがアナログからディジタルに進歩したことにより、アナログ写真では画像だけの楽しみであったものが、ディジタル写真では、写真に関連する音声や音楽、更にはテキスト等を一緒に保存し、それをパーソナルコンピュータ（パソコン）等で再生して楽しめるようになる筈である。しかし、従来のディジタルカメラでは、被写体の写真の撮影とそれに対応すべき音声の録音を良好に関係づけて行うことが難しいという問題があり、そのことがパーソナルコンピュータ等で再生して楽しめるようにすることを阻んでいるという面があった。
【０００７】
本発明はこのような問題点を解決すべく為されたものであり、従来のディジタルカメラ等の録音及び撮影機能付電子機器に内蔵されたマイクでは録音できなかったような離れた距離にある被写体の音声も録音できるようにし、更には、写真の撮影と同時に、写真撮影時とその前後に被写体で収音した音声の録音をも行えるようにすることを目的とする。
【課題を解決するための手段】
【０００８】
請求項１の録音及び撮影機能付電子機器は、外部マイクにより収音され無線で送信される音声情報を受信できる受信部と、該受信部で受信された音声情報から音声データを作成する音声データ作成部と、該音声データ作成部で作成された音声データを保存する音声ファイル保存部と、撮影により得られた画像情報から画像データを作成する画像データ作成部と、該画像データ作成部で作成された画像データを保存する画像ファイル保存部と、上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を少なくとも備えたことを特徴とする。
【０００９】
請求項２の録音及び撮影機能付電子機器は、請求項１記載の録音及び撮影機能付電子機器において、前記音声無線送信セットの前記外部マイクのスイッチングを、前記録音及び撮影機能付電子機器からの操作により為し得るようにしたことを特徴とする。
請求項３の録音及び撮像機能付装置は、外部マイクにより収音し、その収音した音声情報を送信部により無線の音声信号にして送信する音声無線送信セットと、外部マイクにより収音され上記送信部により無線送信された上記音声無線送信セットからの音声情報を受信できる受信部、該受信部で受信された音声情報から音声データを作成する音声データ作成部、該音声データ作成部で作成された音声データを保存する音声ファイル保存部、撮影により得られた画像情報から画像データを作成する画像データ作成部、該画像データ作成部で作成された画像データを保存する画像ファイル保存部及び上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を少なくとも備えた録音及び撮影機能付電子機器と、からなることを特徴とする。
【００１０】
請求項４の録音及び撮影機能付電子機器は、音声信号を伝達する経路の端子を着脱可能に接続される音声信号ジャックと、上記音声信号ジャックを通じて入力された音声情報から音声データを作成する音声データ作成部と、上記音声データ作成部で作成された音声データを保存する音声ファイル保存部と、撮影により得られた画像情報から画像データを作成する画像データ作成部と、上記画像データ作成部で作成された画像データを保存する画像ファイル保存部と、上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部と、を少なくとも備えたことを特徴とする。
【００１１】
請求項５の録音及び撮像機能付装置は、請求項２の録音及び撮像機能付装置において、前記外部マイクに、前記音声ファイル保存部に対して音声データの保存動作をスタートさせたりストップさせたりストップさせたりするスイッチを設けたことを特徴とする。
請求項６の録音及び撮像機能付電子機器は、請求項１、２、４又は５記載の録音及び撮像機能付電子機器において、前記音声ファイル保存部に、シャッターを押した時刻以前の時間と、シャッターを押した時刻以後の時間をそれぞれ設定可能とし、この以前の時間と、シャッターを押していた時間と、以後の時間だけ音声データを保存するようにしたことを特徴とする。
【００１２】
請求項７の録音及び撮像機能付装置は、外部マイクにより収音し、その収音した音声情報を送信部により無線信号にして送信する音声無線送信セットと、上記音声無線送信セットからの無線信号による音声情報を受信し、それを端子から出力する音声無線受信セットと、上記音声無線送信セットの上記端子が着脱可能に接続される音声信号ジャック、該音声信号ジャックを通じて入力された音声情報から音声データを作成する音声データ作成部、該音声データ作成部で作成された音声データを保存する音声ファイル保存部、撮影により得られた画像情報から画像データを作成する画像データ作成部、該画像データ作成部で作成された画像データを保存する画像ファイル保存部及び該音声ファイル保存部に保存された音声デー情報から画像データを作成する画像データ作成部、該画像データ作成部で作成された画像データを保存する画像ファイル保存部及び該音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を備えた録音及び撮影機能付電子機器と、を有することを特徴とする録音及び撮像機能付装置。
【００１３】
請求項８の録音及び撮像機能付装置は、少なくとも録音ジャックを有し、該録音ジャックから入力された音声信号を録音する録音及び撮像機能付電子機器と、マイク、上記録音ジャックに接続される端子及び携帯電話機の音声ジャックに接続される端子を備え、該両端子間及び上記マイクで音声信号の伝送をするようにしたマイクセットと、を少なくとも備えたことを特徴とする。
請求項９の録音及び撮像機能付装置は、請求項８記載の録音及び撮像機能付装置において、携帯電話機の音声ジャックに接続される端子を備えた被写体側のマイクを有することを特徴とする。
【００１４】
請求項１０の録音及び撮像機能付装置の使用方法は、少なくとも録音ジャックを有し、該録音ジャックから入力された音声信号を録音する録音機能付き撮影機能を備えた電子機器と、マイク、上記録音ジャックに接続される端子及び携帯電話機の音声ジャックに接続される端子を備え、該両端子間及び上記マイクロフォンで音声信号の伝送をするようにしたマイクセットを少なくとも備えた録音及び撮像機能付装置の使用方法であって、市販の２台の携帯電話機を用意し、上記マイクセットの端子を上記録音及び撮像機能付電子機器及び一方の携帯電話機の上記ジャックに接続し、上記２台の携帯電話機間における通話機能を活かして被写体側の音声を上記録音及び撮像機能付電子機器に送って撮影に伴う録音を行うことを特徴とする。
【００１５】
請求項１１のマイクセットは、イヤホンマイクの一つの端子からマイクロフォンへ音声信号を送るの線路とは別に、その音声信号を分岐させる線路が形成され、上記分岐させる線路の端を以て上記端子とは別の端子であってカメラの録音ジャックに接続される端子とされてなることを特徴とする。
請求項１２の被写体側マイクセットは、イヤホンマイクセット、或いはそれからイヤホンを除いたものからなることを特徴とする。
【００１６】
請求項１３の録音及び撮像機能付装置は、被写体側の携帯電話機及び撮影側の携帯電話機からなり、少なくとも、上記撮影側の携帯電話機は撮影機能を有することを特徴とする。
請求項１４の録音及び撮像機能付装置は、請求項１３記載の録音及び撮像機能付装置において、前記撮影側の携帯電話機の撮影機能はズーム機能を有していることを特徴とする。
請求項１５の録音及び撮像機能付装置の使用方法は、被写体側の携帯電話機及び撮影側の携帯電話機からなり、少なくとも、該撮影側の携帯電話機は撮影機能を有する録音及び撮像機能付装置の使用方法であって、上記被写体側の携帯電話機と撮影側の携帯電話機携帯電話機間における通話機能を活かして被写体側の音声を撮影者側の携帯電話機に送って該撮影者側の携帯電話機にて撮影とその撮影に伴う録音とを行うことを特徴とする。
【発明の効果】
【００１７】
請求項１の録音及び撮影機能付電子機器によれば、無線で送信される音声情報を受信する受信部で受信された音声情報から音声データを音声データ作成部において作成し、その音声データをファイル（音声ファイル）にして音声ファイル保存部にて保存することとし、更に、その音声ファイルとこれに関連して撮影した画像情報に基づく画像ファイルとに、ファイル名作成部によりつくったところのそのファイル同士を互いに関連付けるファイル名を付与することとしたので、自身（本録音及び撮影機能付電子機器自身）の他には、外部マイクにより収音し、その収音した音声情報を送信部により無線の音声信号にして送信する音声無線送信セットを用意すれば、撮影と録音ができる。
というのは、外部マイクにより収音し、その収音した音声情報を送信部により無線の音声信号にして送信し、電子機器の受信部でそれを受信して音声録音し、別途電子機器自身で撮影した画像を撮影し画像情報と共にその音声情報を保存すると、画像ファイルをパーソナルコンピュータ（以下「パソコン」という。）等で画像再生して見るとき、音声ファイルも音声に変換して聴くということができるようになる。
従って、記憶を後世に残す役割を持つ写真に、音声を付随させて保存できるようになれば、写真を音声付きにすることができ、写真の価値を向上することができる。
そして、外部マイクで収音された音声を無線で送信するようにした音声情報を受信部にて受信するようにしたので、従来、録音及び撮影機能付電子機器（例えばディジタルカメラ）の内部マイクでは録音できなかったような離れた距離にある被写体の音声も録音できるようになる。
【００１８】
請求項２の録音及び撮影機能付電子機器によれば、外部マイクのスイッチング（オン、オフ）を行うことができるので、被写体が子供や動物等のように外部マイクのスイッチング操作（オン、オフ操作）ができなくても、電子機器自身の操作により外部マイクを必要に応じてオンにしたり、オフにしたりすることができ、録音を伴う撮影をスムーズに行うことができるのみならず、外部マイクを使わないときはオフさせることができるようになる。
請求項３の録音及び撮像機能付装置によれば、請求項１の録音及び撮影機能付電子機器と、音声無線送信セットがあるので、自身（本録音及び撮像機能付装置自身）のみで、外部マイクで収音された音声を無線で送信するようにした音声情報を受信部にて受信するようことができる。
従って、従来、録音及び撮影機能付電子機器（例えばディジタルカメラ）の内部マイクでは録音できなかったような離れた距離にある被写体にて収音された音声も録音できるようになる。
【００１９】
請求項４の録音及び撮影機能付電子機器によれば、音声信号ジャックを備え、該音声信号ジャックを通じて入力された音声情報を請求項１の録音及び撮影機能付電子機器と同様に音声ファイルにし、画像ファイルと関連付けたファイル名を付与して保存できるようにしたので、自身の他に、外部マイクにより収音し、その収音した音声情報を送信部により無線の音声信号にして送信する音声無線送信セットと、そのセットからの無線の音声信号を受信する音声無線受信セットとを用意し、該音声無線受信セットの出力端子を音声信号ジャックに接続することにより、上記外部マイクにより収音した音声を、自身（録音及び撮影機能付電子機器自身）内部にて録音することが可能となる。
【００２０】
請求項５の録音及び撮影機能付装置によれば、前記音声ファイル保存部に音声データの保存をスタートさせたりストップさせたりするスイッチを、外部マイクに設けたので、自身（録音及び撮影機能付電子機器自身）を三脚等に設置して、撮影者が撮影者自身を撮影するときにも、その外部マイクに設けたスイッチの操作により音声の録音をスタートさせたり、ストップさせたりすることができるようになる。
請求項６の録音及び撮影機能付電子機器によれば、音声ファイル保存部に、シャッターを押下する以前の時間と、押下し終えた以後の時間を設定可能とし、シャッターを押下した場合、そのシャッターを押下している時間の他に、その押下する以前の時間と押下し終えた以後の時間だけ音声データを保存したので、画像を撮影するシャッターの操作だけで、その前後の音声も録音できるようになる。
従って、シャッタータイミングとしては適切だが、録音タイミングが遅れ、録音に関しては音切れが生じたということを回避することが可能となり、撮影及び録音を適切なタイミングで為すことが可能になる。
【００２１】
請求項７の録音及び撮像機能付装置によれば、被写体側に音声無線送信セットを配置し（例えば被写体に持たせる）、録音及び撮影機能付電子機器の音声信号ジャックに、音声無線受信セットの端子を接続することにより、上記音声無線送信セットにより送信された被写体側の音声を、音声無線受信セットにて受信し、その音声無線受信セットから録音及び撮影機能付電子機器内部に取り込むようにしたので、請求項３の録音及び撮像機能付装置と同様の録音及び撮影をすることができる。
【００２２】
請求項８の録音及び撮像機能付装置によれば、録音ジャックを有し該録音ジャックから入力された音声信号を録音する録音及び撮像機能付電子機器と、マイク、上記録音ジャックに接続される端子及び携帯電話機の音声ジャックに接続される端子を備え、該両端子間及び上記マイクロフォンで音声信号の伝送をするようにしたマイクセットと、を備えたので、手持ちの２台の携帯電話機を併用し、その２台の携帯電話機間における携帯電話通話システムによる通話機能を活かして被写体側マイクで収音した音声を２台の携帯電話機間で伝送することにより、送受信周波数の設定の必要性をなくし、混信、Ｓ／Ｎ低下のおそれを伴うことなく被写体側の音声を電子機器内に録音できるようにすることができる。
【００２３】
即ち、今日、携帯電話機の普及は著しく、一家に１台という段階はとっくに突破し、成人は１人１台所有しているという状態であり、また、未成年でも中学生、高校生以上の生徒、大学生等は１台所有するようになっている。従って、夫婦は各々が１台ずつ携帯電話機を持つことは今や常識である。
であるから、子供で遊園地や運動会に行った場合、或いは、子供が出演する学芸会、演奏会に親が観客として言った場合、子供と親とがそれぞれ１台ずつ持つということは充分に可能である。
【００２４】
そこで、子供に１台の携帯電話機を持たせ（例えば衣服のポケットに入れておくなどする。）る。更には、被写体側マイクセットを持たせ、その端子をその携帯電話機の音声ジャックに接続させる。その被写体側マイクは例えば口元の近傍に位置するようにピンを用いる等して衣服に止めておく。尤も、被写体側マイクセットを用いないで、携帯電話機の内蔵マイクを被写体側の音声の収音を行うこともできる。
一方、親は録音ジャックを有する録音及び撮像機能を備えた電子機器（例えばカメラ）と、音声無線送信セットと、一台の携帯電話機を持ち、その本体側マイクの一方の端子をその携帯電話機の音声ジャックに、他方の端子を電子機器（例えばカメラ）の録音端子に接続しておく。
【００２５】
そして、子供の携帯電話機をオート着信モードに（更に必要に応じてマナーモード）にしておき、子供が例えば台詞を発するするとき或いは演奏をする番になったら、親の携帯電話機からその子供の携帯電話機を呼び出す操作をする。即ち、携帯電話をかけるのである。すると、ほんの何秒かで自動的に親の携帯電話機が子供の携帯電話機に繋がり、親子の携帯電話機間で通話状態が形成される。
従って、子供の学芸会、演奏発表会での演技による台詞、歌唱、演奏の音声が、衣服にピンを用いる等して止められた被写体側マイクによって収音され、それが子供の持つ携帯電話機に入力され、携帯電話通話システムにより親の携帯電話機に送信される。
親の携帯電話機はその送信された音声信号を受信し、その音声信号は音声ジャックを通じて更に本体側マイクと接続された経路を通じて電子機器（例えばカメラ）に入力され、その電子機器（例えばカメラ）が持つ録音機能により、撮影と共に録音が為されるのである。尚、携帯電話機の種類は多く、種類の違いによってはモードの種類、機能が異なる場合がある。しかし、比較的新しいタイプのものは、ほとんど、オート着信モード、更にはマナーモードを有しているので、本発明には適用可能である。
【００２６】
請求項９の録音及び撮像機能付装置によれば、携帯電話機の音声ジャックに接続される被写体側のマイクを有するので、被写体側の音声を、携帯電話機内蔵のマイクによってではなく、携帯電話機に接続された被写体側のマイクにより収音した音声を録音することができ、より良好に、明確に被写体の音声を録音することが可能になる。
請求項１０の録音及び撮像機能付装置の使用方法によれば、自身（録音及び撮像機能付装置自身）の他に、単に既存の２台の携帯電話機を用意し、その２台の携帯電話機間における携帯電話通話システムによる通話機能を活かして被写体側マイクで収音した音声を２台の携帯電話機間で伝送するので、被写体側のマイクにより収音した音声を録音及び撮影機能付電子機器において録音することができる。
従って、送受信周波数の設定の必要性をなくし、混信、Ｓ／Ｎ低下のおそれを伴うことなく被写体側の音声をそれから離れた電子機器内にて録音できるようにすることができる。
【００２７】
請求項１１のマイクセットによれば、単に、既存のイヤホンマイクセットに線路とその端に接続された端子を付加しただけの簡単な構成で、携帯電話機（本体側の携帯電話機）にて受信した音声を録音及び撮影機能付電子機器に伝達するようにできるのみならず、音声をイヤホンによってモニターすることができる。
請求項１２の被写体側のマイクセットによれば、被写体側の音声をマイクにて収音して被写体側の携帯電話機に伝達することができ、被写体側の音声を、携帯電話機内蔵のマイクによってではなく、携帯電話機に接続された被写体側のマイクにより収音した音声を録音することができ、より良好に、明確に被写体の音声を録音することが可能になる。
【００２８】
請求項１３の録音及び撮像機能付装置によれば、被写体側の携帯電話機及び撮影側の携帯電話機からなり、この撮影側の携帯電話機は撮影機能を有するので、被写体側で収音した音声を被写体側の携帯電話機から撮影者側の携帯電話機へ、携帯電話通話システムにより送信することができ、撮影者側の携帯電話機で、音声情報を受信すると共に、その携帯電話機が持つ撮影機能により撮影して保存することができる。
従って、少なくとも１台は撮像機能を有する市販の２台携帯電話機（勿論、２台とも撮像機能付でも良い。）を持てば、録音及び撮像機能付装置を構成することができ、録音及び撮像機能付装置を構成するために、特別の電子機器を購入する必要はなく、経済的に優れている。
【００２９】
請求項１４の録音及び撮像機能付装置によれば、録音及び撮像機能付装置において、前記撮影側の携帯電話機の撮影機能はズーム機能を有しているので、遠いところの被写体をもそのズーム機能によって支障なく撮影することができる。
そして、被写体側で収音した音声を被写体側の携帯電話機から撮影者側の携帯電話機へ、携帯電話通話システムにより送信することができので、被写体との距離が遠くてもその距離によって音質が悪くなるということはなく、ズーム機能にて遠い距離の被写体側にて収音した音声を混信、ノイズのおそれを伴うことなく録音ができる。
従って、携帯電話機のズーム機能を充分に活かした撮影を録音を伴って行うことができる。
【００３０】
請求項１５の録音及び撮像機能付装置の使用方法によれば、上記被写体側の携帯電話機と撮影側の携帯電話機携帯電話機間における通話機能を活かして被写体側の音声を撮影者側の携帯電話機に送って該撮影者側の携帯電話機にて撮影とその撮影に伴う録音とを行うので、被写体側のマイクにより収音した音声と被写体像を録音及び撮影機能付電子機器において録音及び撮影することができる。
従って、送受信周波数の設定の必要性をなくし、混信、Ｓ／Ｎ低下のおそれを伴うことなく被写体側の音声をそれから離れた電子機器内にて録音できるようにすることができ、それを市販の携帯電話機を用意することによって容易に為しうる。
【発明を実施するための最良の形態】
【００３１】
本発明の形態は、基本的に、録音及び撮影機能付電子機器を主体とし、被写体側で収音した音声を無線でその電子機器内部乃至外部の受信手段に送信するようにしたものであり、マイクで収音した音声を無線で録音及び撮影機能付電子機器（主体）へ送信し、この電子機器側で受信する態様には、一つには、外部マイク等と称される音声無線送信セットを用い、そのマイクで収音した音声を無線で送信（無線信号の送信）するようにし、その送信された音声信号を電子機器内部の受信部で或いは電子機器に接続された音声無線受信セットで受信する態様がある。
他には、携帯電話機を２台用い、その２台の携帯電話機間における携帯電話通話システムによる通話機能を活かして被写体側マイクで収音した音声を２台の携帯電話機間で伝送する態様がある。
【００３２】
上記音声無線受信セットと、電子機器内部の受信部或いは音声無線送信セットを使用する態様は、ＦＭ通信、ブルートゥース(Bluetooth)が好適であり、被写体・電子機器間の距離が１０メートル以上であっても比較的良好な録音ができ、周りの状況によっては、１５メートル程度でも充分実用的レベルでの録音が可能である。
また、携帯電話機を２台用いた技術によれば、携帯電話通話システムによる通話機能を活かすので、被写体・電子機器間の距離には音声に関しては制約が無く、撮影のズーム機能により撮影可能な距離であればどのような距離であっても同じ音質で良好な録音が可能である。しかも、混信やノイズが多いというおそれは伴わない。その面できわめて優れているといえる。特に、撮影機能付携帯電話機としてズーム機能付のものを用いると、そのズーム機能を充分に活かして遠くの被写体を、その被写体で収音した音声の録音と共に撮影することができる。
【００３３】
更に、本発明は、単に、少なくとも１台は撮影機能付携帯電話機である、２台の市販の携帯電話機（２台とも撮影機能付でも良い。）を用意し、少なくとも撮影機能のついた携帯電話機を撮影者用の携帯電話機とし、もう一方の携帯電話機を被写体側の携帯電話機とし、その携帯電話機によって被写体側の音声を収音し、携帯電話通話システムによる通話機能を活かして送信し、被写体側の携帯電話機で受信し、且つ、撮影するという態様でも実施することができる。
その場合、被写体側の携帯電話機には携帯電話機用の市販のイヤホンマイクセットを接続して、そのイヤホンマイクセットのマイクにより収音し、また、撮影者側の携帯電話機からの通話音声はイヤホンにて聴くようにすることが可能である。
【００３４】
本発明における、上記録音及び撮影機能付電子機器の典型例はスチール（静止）画像を撮影することを主目的とするディジタルカメラ（ディジタルスチールカメラ）であるが、しかし、電子機器は必ずしもディジタルカメラ（ディジタルスチールカメラ）に限らず、例えばムービー（動画）画像を撮影することを主目的とするディジタルムービーカメラ、撮影機能付携帯電話機、ＩＣレコーダであっても良い。
尚、被写体側マイクセットは、携帯電話機用のイヤホンマイクセットをそのまま用いても良い。しかし、イヤホンは不可欠とはいえないので、イヤホンを取り除いても良い。勿論、携帯電話機用イヤホンマイクからイヤホンを除いた構成のものを、本発明録音及び撮像機能付装置専用として製造するようにしても良い。
尤も、被写体側マイクセットを用いず、被写体側の携帯電話機の内蔵マイクをマイクとして収音し、録音、撮影が行われるようにすることも不可能ではない。ただ、被写体となる例えば子供の声をより明確に収音するには、被写体マイクセットのマイクを口元近くに位置させて使用することが好ましい。
【００３５】
また、本体側マイクは、市販の携帯電話機用イヤホンマイクに、イヤホンへの信号を分岐して電子機器（例えばカメラ）の録音ジャックに送る経路とその端子を付加した構造のものを用いることができる。しかし、イヤホンは不可欠ではないので、その構造からイヤホンを取り除いた構造のものを用いても良い。尚、市販の携帯電話機用イヤホンマイクを加工して本体側マイクを作るようにしても良いが、本発明録音及び撮像機能付装置専用として本体側マイクを作るようにしても良いこと、被写体側用マイクの場合と同様である。
【実施例１】
【００３６】
以下に、本発明の第１の実施例を図１（Ａ）、（Ｂ）を参照して説明する。
図１（Ａ）は概略図で、先ず、これを参照してそのディジタルカメラの概略を説明する。図において、１はディジタルカメラ（特許請求の範囲の録音及び撮影機能付電子機器に該当する）、２は外部マイク送信セットで、マイクで収音すると共に、収音した音声信号を無線（例えば微弱ＦＭ波）で送信する。この外部マイク送信セット２は被写体１０が持つ（勿論、被写体の近くにおいても良い場合もある。）。３は受信窓で、その外部マイク送信セット２からの無線による音声信号をカメラ１内部に受け入れる。
４はシャッターで、撮影するとき操作するものである。５は音声録音ボタン、６は音声モニター用イヤホン、７は映像信号及び音声信号を記憶するメモリカードである。
【００３７】
図１（Ｂ）はディジタルカメラ１の構成を示す回路ブロック図であり、次に、これを参照してこの回路構成及びその動作を説明する。
１１は受信部で、上記被写体１０に配置された外部マイク送信セット２から送信された無線による音声信号を上記受信窓３越しに受信する。１２は音声モニター部で、受信部１１で受信した音声信号を処理し、イヤホンジャック１３へ送出する。従って、このイヤホンジャック１３に音声モニター用イヤホン６の端子を接続すれば、撮影時に録音した場合、その録音した音声をそのイヤホン６により聴くこと（モニター）ができる。
【００３８】
１４は音声データ作成部で、受信部１１からの音声信号をディジタル信号に変換する等の処理をして音声データを作り、更に、その音声データに、次に述べるファイル名作成部（１５）により作られたファイル名を付加して音声ファイルをつくる動作を繰り返す。
１５はファイル名作成部で、日付（年、付、日）及び日における連続撮影番号とによってファイル名を作成する。１６は音声ファイル保存部で、その音声データ作成部１４で音声ファイルがつくられる毎に、その音声ファイルを記憶する。該音声ファイル保存部１６は音声録音ボタン５で制御され、該ボタン５がオンの状態の間その音声ファイルを保存する。
【００３９】
８は撮像用レンズで、被写体１０の画像を撮像部２１の撮像面に結像する。この撮像部２１は画像を例えば光電変換により電荷に、更には電気的な映像信号に変換する。２２は画像モニター回路で、撮像部２１から出力された映像信号を受けてその信号を再生処理して、例えば液晶ディスプレイからなる画像モニター部２２によって画像再生する。
２４は映像データ作成部で、撮像部２１からの映像信号をディジタル信号に変換等の処理をして映像データを作り、更に、その映像データに、前述のファイル名作成部１５に作成されたファイル名を付加して映像ファイルをつくる動作を繰り返す。
【００４０】
２６は映像ファイル保存部で、映像ファイル作成部２４において映像ファイルがつくられる毎にその映像ファイルを記憶する。該映像ファイル保存部２６はシャッター４で制御され、シャッター４が押下されている間、画像ファイルを１秒あたり例えば数十ファイル連続して保存したり、或いは１回の押下で１画像ファイルを保存したりする。
ここで、ファイル名作成部１５では、音声録音ボタン５がオン状態の間を同じシーンであるとし、この間に保存された音声ファイルと、画像ファイルに、互いに関連したファイル名をつける。音声録音ボタン５がオンの状態の間に、シャッターが押下されないときは、音声ファイルのみが音声ファイル保存部１６に保存される。
【００４１】
従って、音声ファイルを、音声録音ボタン５がオンの状態の発生順に通し番号等からなるファイル名と音声データを表す識別子をつけて保存し、音声録音ボタン５がオンの状態の間に、シャッター４を押下して保存した画像ファイルにも、音声ファイルと同じファイル名と画像データを表す識別子をつけることで、これらのファイルを関連付けることができる。但し、動画のように画像ファイルを連続して保存するときは、音声ファイルと同じファイル名に保存順番を示す番号を枝番号として付加するようにする。
１７はメモリカード制御部で、音声ファイル保存部１６と画像ファイル保存部１６で保存されたデータに基づいて画像ファイルとそれに対応する音声ファイルを結びつけてメモリカード７に記憶する。
【００４２】
このようなディジタルカメラ１によれば、録音に関しては、被写体１０に持たせたマイク２により収音した音声が無線でカメラ１内の受信部１１へ送信され、該受信部１１により受信され、受信信号が処理されて画像ファイルとの関連付けてメモリカード７に録音ファイルとして保存されるので、被写体１０がディジタルカメラ１から遠くても被写体１０が身につけたマイク２により収音された音声が音声ファイル化される。
従って、カメラ１から離れた被写体１０からの音声を良好に録音することができるので、前述した課題、例えば親が学芸会等で演技する我が子の姿を撮影すると共に、その我が子の台詞（せりふ）を録音しようとしても、従来においては、カメラによって収音された音声しか録音できず、我が子の台詞がカメラの位置では小さな音声にしかならず、また、騒音によりその小さな音声がかき消されてしまうというような課題を解決することができる。
【実施例２】
【００４３】
次に、本発明の第２の実施例を、そのディジタルカメラ１ａの概略構成を示す回路ブロック図である図２を参照して説明する。
本実施例のディジタルカメラ１ａは、音声録音ボタン５がなく、シャッター４を押下した時刻以前の時間（Ｔ１）と、シャッター４の押下を終えた時刻以後の時間（Ｔ３）とをそれぞれ任意の値に設定可能とし、この以前の時間（Ｔ１）と、シャッター４を押下していた時間（Ｔ２）と、以後の時間（Ｔ３）を合わせた時間（Ｔ１＋Ｔ２＋Ｔ３）だけ音声データを保存するようにしたもので、その音声データ作成時間を音声データ作成時間制御部１９により制御する。
この点でのみ、本実施例は第１の実施例と異なる。
【００４４】
このような実施の形態例によれば、画像を撮影するシャッター４の操作だけで、その前後の音声ファイルも保存できるようにすることにより、音声録音ボタン５がなくても、従来のディジタルカメラの操作と同じ行うことにより音声ファイルの保存をも行うようにすることができるのである。
尚、本実施例は動作において多くの点で第１の実施例と共通するが、動作中は常に音声を取り込み上記時間Ｔ１分の音声信号をが常に音声ファイル保存部１６ａに保存しておく必要がある。さもないと、シャッター４を押下する前の時間Ｔ１の録音が不可能になるからである。
【００４５】
即ち、受信部１１で受信された音声信号は、音声データ作成部１４ａでディジタル信号であって且つ取り扱いやすい形式のデータに変換され、音声データ作成時間制御部１９の制御のもと、Ｔ１の時間だけ常に音声ファイル保存部１６ａに保存される。この常にＴ１の時間だけ音声ファイルを保存するメモリ回路は、ＦＩＦＯ（ファーストインファーストアウト）のような回路で構成され、最新の音声データを保存すると同時にＴ１時間を超えた古い音声データは自動的に消去され、常に最新のＴ１時間の音声データを保存し続ける。
【００４６】
次に、シャッター４が押下された場合の音声録画の動作は次のようになる。
シャッター４が押下されると、Ｔ１時間を越えた古い音声データの消去は止め、新しい音声データの保存は継続する。そして、Ｔ２時間とシャッター４の押下を止めた後のＴ３時間が過ぎた時点で、その音声データの保存が終了する。このＴ１、Ｔ２及びＴ３を合わせた時間（Ｔ１＋Ｔ２＋Ｔ３）保存した音声データは、ファイル名作成部１５ａで作成されたファイル名をつけて音声ファイル保存部１６ａに保存される。
【００４７】
ちなみに、映像情報の保存についても説明する。被写体１０の画像は、レンズ８を通して撮像部２１により撮像され、その撮像部２１から出力された映像信号が画像モニター部２２に送られ、画像再生される。
シャッター４が押下されると、撮像部２１で認識された画像情報は、画像データ作成部２４でディジタル信号として取り扱いやすい形式のデータに変換され、ファイル名作成部１５ａで生成されたファイル名を付けて画像ファイル保存部２６に送られる。
画像ファイル保存部２６での画像データの保存の動作は、シャッター４で制御され、シャッター４が押下されている間、画像ファイルを１秒あたり数十ファイル連続して保存したり、１回の押下で１画像ファイルを保存したりする。
【００４８】
ここで、ファイル名作成部１５ａでは、シャッター４が押下されているＴ２と、その前後のＴ１とＴ３を合わせた時間を同じ一つのシーンであるとし、この時間に保存された音声ファイル画像ファイルに、関連したファイル名を付ける。
前述の通り、本実施例においては常に時間Ｔ１分の音声ファイルが音声ファイル保存部１６ａに保存されるようになっているが、シャッター４が押下されても、音声ファイルを作成しないモードを本実施の形態例１ａに設けたり、そのモードを指定するスイッチを設けるようにしても良い。
【実施例３】
【００４９】
図３（Ａ）、（Ｂ）は本発明の第３の実施例を示し、（Ａ）は概略図で、先ず、これを参照してそのディジタルカメラの概略を説明する。図において、１ｂはディジタルカメラ（特許請求の範囲の録音及び撮影機能付電子機器に該当する）で、撮影者が持つ。２ａは音声無線送信セットで、マイクで収音すると共に、収音した音声信号を無線（例えば微弱ＦＭ波）で送信する。この音声無線送信セット２ａは被写体１０が持つ（勿論、被写体の近くにおいても良い場合もある。）。
４はシャッター、５は音声録音ボタン、８はレンズ、２７は録音ジャックで、音声無線受信セット２ｂの出力端子が着脱可能に接続され得る。２８は内蔵マイクである。
【００５０】
本ディジタルカメラ１ｂは、図１（Ａ）、（Ｂ）に示したディジタルカメラ１とは概ね共通するが、外部マイクからの音声を受信するのではなく、音声ジャック（２７）から入力した音声信号を録音するようにしたという違いに起因する相違がある。
即ち、本ディジタルカメラ１ｂには、受信窓３と受信部１１がない。代わりに内蔵マイク２８を有する。また、音声のモニターは、出力端子が録音ジャック２７に接続された音声無線受信セット２ｂのイヤホン４０ｂにて行うので、音声モニター部１２は必要ではなく、存在しない。
そして、録音ジャック２７はあるが、図１（Ａ）のディジタルカメラ１のイヤホンジャック１３とは異なり、音声信号をディジタルカメラ１ｂ内に取り込む入力端子としての役割を果たし、その録音ジャック２７から入力された音声信号は音声データ作成部１４に入力される。
【００５１】
尚、録音ジャック２７に音声無線受信セット２ｂの出力端子が装着されたときはその出力端子からの音声信号が音声データ作成部１４に入力され、録音ジャック２７に端子が装着されていないときは、内蔵マイク２８から出力された音声信号が音声データ作成部１４に入力されるようになっている。
以上が、本ディジタルカメラ１ｂと図１に示したディジタルカメラ１との違いであり、それ以外の点では、図４に示したディジタルカメラ１とは同じである。
【００５２】
次に、実際に本録音及び撮像機能付装置の使用方法について説明する。
本体側（ディジタルカメラ１ｂ側）においては、撮影者がディジタルカメラ１ｂを持ち、その録音ジャック２７に音声無線受信セット２ｂの出力端子を接続し、イヤホン４０ｂを耳にあてる。一方、被写体には、上記音声無線送信セット２ａを持たせ、そのマイクを被写体の音声をより良く収音出来るように位置させる。ディジタルカメラ１ｂと被写体との距離は例えば１５メートル以下、特に１０メートル程度が好適である。
そして、ディジタルカメラ１ｂを持った撮影者が合図を送り、適当なタイミングで録音ボタン５を押す等の操作をする。すると、音声データ作成部１４、ファイル名作成部１５、音声ファイル保存部１６の働きにより、音声ファイルの作成、保存が開始される。
【００５３】
そして、シャッター４を操作すると、撮像部２１、画像データ作成部２４、ファイル名作成部２４、画像ファイル保存部２６の働きにより画像ファイル保存動作が開始され、露光時間が経過すると、その撮影が終了する。
そして、録音ボタン５をリリースすると、録音が終了する。
尚、音声データ作成部１４、音声ファイル保存部１６、ファイル名作成部１５、撮像部、画像データ作成部２４、画像ファイル保存部２６等の働きは、図１（Ｂ）に示したディジタルカメラ１のそれ等の働きと同じなのでその詳細な説明は省略する。
本発明はこの図３に示すような態様でも実施することができる。
【実施例４】
【００５４】
図４は本発明録音及び撮像機能付装置の第４の実施例のディジタルカメラ１ｃの概略構成を示す回路ブロック図である。
該ディジタルカメラ１ｃは、受信窓３と受信部１１がなく、代わりに内蔵マイク２８を有し、また、音声のモニターは、音声無線送信セット２ｂのイヤホン４０ｂにて行うので、音声モニター部１２は必要ではなく、存在しないという点で、図３に示したディジタルカメラ１ｂと共通し、図１、図２に示したディジタルカメラ１、１ａとは相違する。
【００５５】
そして、録音ジャック２７があるが、録音ジャック２７に音声無線送信セット２ｂ等の出力端子が接続されたときはその出力端子から出力された音声信号が録音ジャック２７を経由して音声データ作成部１４に入力され、録音ジャック２７に端子が装着されていないときは、内蔵マイク２８から出力された音声信号が音声データ作成部１４に入力されるようになっているという点でも図３に示したディジタルカメラ１ｂと共通し、図１、図２に示したディジタルカメラ１、１ａとは相違する。
また、音声録音ボタン５がない点で、本ディジタルカメラ１ｄは、図３に示すディジタルカメラ１ｂとは異なるが、図２に示すディジタルカメラ１ａと共通する。つまり、本実施例は、第３の実施例を、シャッター４が押下されているＴ２と、その前後の時間Ｔ１とＴ３を合わせた時間を同じ一つのシーンであるとし、この時間に保存された音声ファイル画像ファイルに、関連したファイル名を付けることができるようにアレンジしたものといえ、それ以外の点では、図３に示す実施例とは異なるところはない。
【００５６】
そして、音声データ作成部１４に音声信号が入力されたときの本ディジタルカメラ１ｃのシャッター４が押されたときの、その音声データ作成部１４、音声ファイル保存部１６ａ、ファイル名作成部１５、撮像部、画像データ作成部２４、画像ファイル保存部２６、撮像部２１、画像データ作成部２４、画像ファイル保存部２６及びメモリカード制御部１７、等の動作は、図３に示したディジタルカメラ１ｂのそれ等の働きと同じであり、その説明は重複するので省略する。
【００５７】
尚、上記各実施例において、前記音声無線送信セット２ａの外部マイクに、前記音声ファイル保存部１６、１６ａに対して音声データの保存動作をスタートさせたりストップさせたりストップさせたりするスイッチを設けるようにするようにしても良い。
なぜならば、ディジタルカメラ１、１ａ、１ｂ、１ｃ、１ｄ自身を三脚等に設置して、撮影者が撮影者自身を撮影するときにも、その外部マイクに設けたスイッチの操作により音声の録音をスタートさせたり、ストップさせたりすることができるようになるからである。
【００５８】
更に、上記各実施例において、音声無線送信セット２、２ａの前記外部マイクのスイッチングを、ディジタルカメラの操作により為し得るようにしても良い。
というのは、被写体が子供や動物等のように外部マイクのスイッチング操作（オン、オフ操作）ができなくても、ディジタルカメラ１、１ａ、１ｂ、１ｃの操作により外部マイクを必要に応じてオンにしたり、オフにしたりすることができ、録音を伴う撮影をスムーズに行うことができるのみならず、外部マイクを使わないときはオフさせることができるようになるからである。。
【実施例５】
【００５９】
図５及び図６は本発明の第５の実施例を示すもので、図５（Ａ）、（Ｂ）は録音及び撮像機能付装置の基本構成図で、（Ａ）は本体側を、（Ｂ）は被写体側をそれぞれ示し、図６（Ａ）、（Ｂ）は一つの使用例を説明する斜視図で、（Ａ）は本体側を、（Ｂ）は被写体側をそれぞれ示す。尚、録音及び撮像機能付の電子機器であるディジタルカメラの回路構成は図３に示す回路ブロック図と全く同じなので、図示を省略し、動作説明は図３を参照して行う。
図面において、１ｂは録音及び撮像機能付の電子機器であるディジタルカメラであり、図３に示すものと同様である。図６に示す使用例では、図６（Ｂ）に示すようにお父さん１００が持ち、使用する。該ディジタルカメラ１ｂは、図３に示したディジタルカメラ１ｂとは同じであり、既にその構成及び動作は説明済みであるので、詳細な説明を省略する。
【００６０】
３０ａは図６（Ａ）に示すように撮影をするお父さん１００が持つ本体側の携帯電話機であり、音声ジャック３２ａを有する。３４ａは音声無線送信セットで、市販の携帯電話機用イヤホンマイクセットの音声信号線にその音声信号を分岐する分岐線３５（実線で示すように接続しても良いし、破線で示すように接続しても良い。）を接続し、その分岐線３５の端に、上記カメラ１ｃの上記音声ジャック２７と着脱自在に接続される端子３６を接続したものである。
尚、３８ａはマイク、４０ａはイヤホンである。このイヤホン４０ａはあってもなくても良い。マイク３８ａは被写体（例えば子供）１０へ音声で指示をするのに使うことができる。
そして、使用時には、元々あるイヤホンマイクセットの端子３７は携帯電話機３２ａの音声ジャック３２ａに接続し、また、上記端子３６は当然のことながらディジタルカメラ１ｂの音声ジャック２７に接続することが必要である。
【００６１】
３０ｂは図６（Ｂ）に示すように被写体となるお子様１０が持つ市販の携帯電話機で、メーカー、機種が携帯電話機３０ａと同じであることは必要ではなく、携帯電話ネットワークを利用した通話が可能であれば良い。そして、例えば、携帯電話機３０ａはお父さん１００がいつも用いているものを、携帯電話機３０ｂはお母さん（図面には現れない）がいつも用いているものを用いることにより、つまり既にある２台の携帯電話機を本発明に係る録音及び撮像機能付装置と併用することにより録音、撮影が可能であり、本録音及び撮像機能付装置による録音、撮影のためだけに専用の携帯電話機を購入するということは必要ではない。
尚、３２ａは携帯電話機３０ａの音声ジャックである。
【００６２】
３４ｂは被写体側マイクセットで、市販のイヤホンマイクセットをそのまま用いても良いし、イヤホンをなくしても良い。というのは、イヤホンは本体側からの指示を受ける場合に、そのイヤホンを通じて指示を聞くことができるという利便さがあるが、被写体側マイクセットの最大の役割は、被写体側における音声を収音し、携帯電話通信ネットワークを利用して本体側の携帯電話機に音声情報が伝わるようにすることにあるので、マイクがあれば被写体側マイクセットとして最低限必要な機能を果たしうるからである。
尚、被写体側マイクセット３４ｂを用いず、携帯電話機３０ｂの内蔵マイクを利用して収音するようにしても良い。
【００６３】
３８ｂはマイクで、それにはピン４２が固定されている。このピン４２を用いて衣服の一部にマイク３８ｂを位置させてお子様１０の口元からの音声を有効に収音するようにすると良い。４０ｂはイヤホンである。このイヤホン４０ｂはなくても良い（故に破線で示した。）が、あると、お子様１０の耳に直接本体側のお父さん１００の指示（例えば「写すからちゃんとしてよね」とか「撮るから笑って」等）、その他のメッセージ（例えば「頑張って」、「いいよ」等）を送ることが可能である。
【００６４】
次に、実際に本録音及び撮像機能付装置の使用方法について説明する。
本体側においては、本体側携帯電話機３２ａの音声ジャック３２ａに音声無線送信セット３４ａの端子３７を接続し、ディジタルカメラ１ｂの録音ジャック２７に音声無線送信セット３４ａの端子３６を接続する。すると、内蔵マイク２８と音声データ作成部１４との間が切断された状態になる。
そして、イヤホン４０ａを耳に（イヤホン４０ａがある場合）、マイク３８ａを口元に位置させる。
【００６５】
一方、被写体側においては、お子様１０ｂに被写体側携帯電話機３０ｂを持たせ、例えば衣服のポケットに忍ばせさせる。そして、被写体側マイクセット３４ｂの端子を音声ジャック３２ｂに接続させ、ピン４２をマイク３８ｂが口元近くに位置するように衣服に止める。そして、被写体側携帯電話機３２ｂの電源をオンにし、オート着信モードにする。
そして、お父さん１００は本体側携帯電話機３２ａを操作して被写体側携帯電話機３２ｂを呼び出す。すると、何秒か後に被写体側携帯電話機３２が呼び出され、自動的に通話状態が形成される。
【００６６】
そこで、お父さん１００が話しかけ、撮る旨を伝えると、その音声がお子様１０の耳に入る、そして、録音ボタン５を操作すると、音声データ作成部１４、ファイル名作成部１５、音声ファイル保存部１６の働きにより、音声ファイルの作成、保存が開始される。
そして、シャッター４を操作すると、撮像部２１、画像データ作成部２４、ファイル名作成部２４、画像ファイル保存部２６の働きにより画像ファイル保存動作が開始され、露光時間が経過すると、その撮影が終了する。
そして、録音ボタン５をリリースすると、録音が終了する。
尚、音声データ作成部１４、音声ファイル保存部１６ａ、ファイル名作成部１５、撮像部、画像データ作成部２４、画像ファイル保存部２６等の働きは、前述のとおり図３（Ｂ）に示したディジタルカメラ１のそれ等の働きと同じである。
【００６７】
このような実施例によれば、２台の携帯電話機３０ａ・３０ｂ間における携帯電話通話システムにより形成された通話状態を利用して、被写体側マイク３８ｂで収音した音声をディジタルカメラ１ｃに録音させることができるので、被写体側から本体側への音声情報の伝送のために送受信周波数を設定するという必要性をなくし、混信、Ｓ／Ｎ低下のおそれを伴うことなく被写体側の音声を電子機器内に録音できるようにすることができる。
【００６８】
尚、本実施例において、そのディジタルカメラ１ｂに代えて図４に示すディジタルカメラ１ｃを用いるようにしても良い。
即ち、そのようにした場合は、音声録音ボタン５がなく、シャッター４を押下した時刻以前の時間（Ｔ１）と、シャッター４の押下を終えた時刻以後の時間（Ｔ３）とをそれぞれ任意の値に設定可能とし、この以前の時間（Ｔ１）と、シャッター４を押下していた時間（Ｔ２）と、以後の時間（Ｔ３）を合わせた時間（Ｔ１＋Ｔ２＋Ｔ３）だけ音声データを保存するようにしたもので、その音声データ作成時間を音声データ作成時間制御部１９により制御する。
【実施例６】
【００６９】
図７（Ａ）、（Ｂ）は本発明の第６の実施例を示すもので、（Ａ）は概略図、（Ｂ）はこの実施例の一つの使用例を示す斜視図である。
本実施例は、撮影者側が持つ録音及び撮影機能付電子機器として、図７（Ａ）に示すように、撮影機能付携帯電話機３０ａを用いる。この撮影機能付携帯電話機としてズーム機能を用いると良いことは言うまでもない。被写体には、図７（Ｂ）に示す携帯電話機３０ｂを持たせる。被写体側の携帯電話機３０ｂは通話機能があれば充分であるが、撮影機能はあっても良いし、無くても良い。３４ａ、３４ｂはイヤホンマイクセットである。
【００７０】
そして、図７（Ｂ）に示すように、撮影者、お父さん１００が撮影機能付携帯電話機３０ａを持ち、それに接続したイヤホンセット３４ａのイヤホンを耳にし、マイクを口元にセットする。
同様に、被写体、お子様１０には、携帯電話機３０ｂを持たせ、それに接続したイヤホンマイクセット３４ｂのイヤホンを耳にさせ、マイクを口元にセットさせる。
そして、図５、図６に示した実施例とほぼ同様に、携帯電話通話システムによる通話機能を活かして被写体、例えばお子様１０の持つ携帯電話機３０ｂにより収音した音声を、撮影者、例えばお父さん１００が持つ携帯電話機３０ａにより受信し、録音し、また、被写体の撮影を行う。
本実施例によれば、ズーム機能のついた撮影機能付携帯電話機３０ａを用い、ズーム機能を最大限活かして遠い被写体の画像を撮影しても、その距離とは関係なく、携帯電話通話システムによる通話機能により定まる音質での音声録音ができる。
【産業上の利用可能性】
【００７１】
本発明は、録音及び撮像機能を備えた電子機器を本体とし、それに一つ又は二つのマイクセットを付加し、市販の２台の携帯電話機を活用してカメラから離れた被写体からの音声を良好に録音することができる録音及び撮像機能付装置と、その使用方法並びに、それに用いるマイクセット、或いは携帯電話機そのものを電子機器として用いた撮像気のつき装置について産業上の利用可能性を有する。
そして、上記録音及び撮像機能を備えた電子機器の典型例は、ディジタルスチールカメラであるが、必ずしもそれに限定されるものではなく、例えば、ビデオカメラ（ムービー）カメラ等、録音及び撮像機能を備えたものは、すべて本発明における録音及び撮像機能を備えた電子機器になり得る。
【図面の簡単な説明】
【００７２】
【図１】（Ａ）、（Ｂ）は本発明の第１の実施例を示すもので、（Ａ）は概略図、（Ｂ）は録音及び撮像機能付電子機器の回路構成図である。
【図２】本発明の第２の実施例の録音及び撮像機能付電子機器の回路構成図である。
【図３】（Ａ）、（Ｂ）は本発明の第３の実施例を示すもので、（Ａ）は概略図、（Ｂ）は録音及び撮像機能付電子機器の回路構成図である。
【図４】本発明の第４の実施例の録音及び撮像機能付電子機器の回路構成図である。
【図５】（Ａ）、（Ｂ）は本発明の第５の実施例を示すもので、（Ａ）は本体側（撮影者側）を、（Ｂ）は被写体側を示す。
【図６】（Ａ）、（Ｂ）は本発明の第５の実施例の一つの使用例を示すもので、（Ａ）は本体側（撮影者側）を、（Ｂ）は被写体側を示す。
【図７】（Ａ）、（Ｂ）は本発明の第６の実施例を示すもので、（Ａ）は概略図、（Ｂ）は一つの使用例を示す。
【図８】ディジタルカメラの従来例を示す回路構成図である。
【符号の説明】
【００７３】
１ｃ、１ｄ・・・録音及び撮像機能付電子機器（ディジタルカメラ）、
２ａ・・・音声無線送信セット、２ｂ・・・音声無線受信セット、
４・・・シャッター、５・・・音声録音ボタン、８・・・レンズ、
１０・・・被写体（お子様）、２７・・・音声ジャック、２８・・・内蔵マイク、
３０ａ・・・本体側携帯電話機、３０ｂ・・・被写体側携帯電話機、
３２ａ、３２ｂ・・・音声ジャック、３４ａ・・・音声無線送信セット、
３５・・・既存のイヤホンマイクセットに付加した分岐線、３６・・・分岐線の端子、
３７・・・既存のイヤホンマイクセットに元々ある端子、
３６・・・音声無線送信セット３４ａの端子、３８ａ・・・マイク、
３４ｂ・・・被写体側マイクセット、３８ｂ・・・マイク、４０ｂ・・・イヤホン、
４２・・・ピン、１００・・・撮影者（お父さん）。
【図１】
2005295502.tif 000003
【図２】
2005295502.tif 000004
【図３】
2005295502.tif 000005
【図４】
2005295502.tif 000006
【図５】
2005295502.tif 000007
【図６】
2005295502.tif 000008
【図７】
2005295502.tif 000009
【図８】
2005295502.tif 000010
【手続補正書】
【提出日】平成16年12月28日(2004.12.28)
【手続補正１】
【補正対象書類名】特許請求の範囲
【補正対象項目名】全文
【補正方法】変更
【補正の内容】
【特許請求の範囲】
【請求項１】
外部マイクにより収音され無線で送信される音声情報を受信できる受信部と、
上記受信部で受信された音声情報から音声データを作成する音声データ作成部と、
上記音声データ作成部で作成された音声データを保存する音声ファイル保存部と、
撮影により得られた画像情報から画像データを作成する画像データ作成部と、
上記画像データ作成部で作成された画像データを保存する画像ファイル保存部と、
上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部と、
を少なくとも備えたことを特徴とする録音及び撮影機能付電子機器。
【請求項２】
前記外部マイクのスイッチングを操作により為し得るようにした
ことを特徴とする請求項１記載の録音及び撮影機能付電子機器。
【請求項３】
外部マイクにより収音し、その収音した音声情報を送信部により無線の音声信号にして送信する音声無線送信セットと、
上記外部マイクにより収音され上記送信部により無線送信された上記音声無線送信セットからの音声情報を受信できる受信部、該受信部で受信された音声情報から音声データを作成する音声データ作成部、該音声データ作成部で作成された音声データを保存する音声ファイル保存部、撮影により得られた画像情報から画像データを作成する画像データ作成部、該画像データ作成部で作成された画像データを保存する画像ファイル保存部及び上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を少なくとも備えた録音及び撮影機能付電子機器と、
からなることを特徴とする録音及び撮像機能付装置。
【請求項４】
音声信号を伝達する経路の端子を着脱可能に接続される音声信号ジャックと、
上記音声信号ジャックを通じて入力された音声情報から音声データを作成する音声データ作成部と、
上記音声データ作成部で作成された音声データを保存する音声ファイル保存部と、
撮影により得られた画像情報から画像データを作成する画像データ作成部と、
上記画像データ作成部で作成された画像データを保存する画像ファイル保存部と、
上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部と、
を少なくとも備えたことを特徴とする録音及び撮影機能付電子機器。
【請求項５】
外部マイクに、前記音声ファイル保存部に対して音声データの保存動作をスタートさせたりストップさせたりするスイッチを設けた
ことを特徴とする請求項３記載の録音及び撮像機能付装置。
【請求項６】
前記音声ファイル保存部に、シャッターを押した時刻以前の時間と、シャッターを押した時刻以後の時間をそれぞれ設定可能とし、この以前の時間と、シャッターを押していた時間と、以後の時間だけ音声データを保存するようにした
ことを特徴とする請求項１、２又は４記載の録音及び撮像機能付電子機器。
【請求項７】
外部マイクにより収音し、その収音した音声情報を送信部により無線信号にして送信する音声無線送信セットと、
上記音声無線送信セットからの無線信号による音声情報を受信し、それを端子から出力する音声無線受信セットと、
上記音声無線受信セットの上記端子が着脱可能に接続される音声信号ジャック、該音声信号ジャックを通じて入力された音声情報から音声データを作成する音声データ作成部、該音声データ作成部で作成された音声データを保存する音声ファイル保存部、撮影により得られた画像情報から画像データを作成する画像データ作成部、該画像データ作成部で作成された画像データを保存する画像ファイル保存部及び上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を備えた録音及び撮影機能付電子機器と、
を有することを特徴とする録音及び撮像機能付装置。
【請求項８】
少なくとも録音ジャックを有し、該録音ジャックから入力された音声信号を録音する録音及び撮像機能付電子機器と、
マイク、上記録音ジャックに接続される端子及び携帯電話機の音声ジャックに接続される端子を備え、該両端子及び上記マイク間で音声信号が伝送されるようにしたマイクセットと、
を少なくとも備えた録音及び撮像機能付装置。
【請求項９】
携帯電話機の音声ジャックに接続される端子を備えた被写体側のマイクを有する
ことを特徴とする請求項８記載の録音及び撮像機能付装置。
【請求項１０】
少なくとも録音ジャックを有し、該録音ジャックから入力された音声信号を録音する録音機能付き撮影機能を備えた電子機器と、マイク、上記録音ジャックに接続される端子及び携帯電話機の音声ジャックに接続される端子を備え、該両端子及び上記マイクロフォン間で音声信号の伝送をするようにしたマイクセットを少なくとも備えた録音及び撮像機能付装置の使用方法であって、
市販の２台の携帯電話機を用意し、
上記マイクセットの端子を上記録音及び撮像機能付電子機器及び一方の携帯電話機の上記音声ジャックに接続し、
上記２台の携帯電話機間における通話機能を活かして被写体側の音声を上記録音及び撮像機能付電子機器に送って撮影に伴う録音を行う
ことを特徴とする録音及び撮像機能付装置の使用方法
【請求項１１】
イヤホンマイクの一つの端子からマイクロフォンへ音声信号を送る線路とは別に、その音声信号を分岐させる線路が形成され、
上記分岐させる線路の端を以て、上記端子とは別の端子であってカメラの録音ジャックに接続される端子とされてなる
ことを特徴とするマイクセット。
【請求項１２】
イヤホンマイク、或いはそれからイヤホンを除いたものからなる
ことを特徴とする被写体側用のマイクセット。
【請求項１３】
被写体側の携帯電話機及び撮影者側の携帯電話機からなり、
少なくとも、上記撮影者側の携帯電話機は撮影機能を有する
ことを特徴とする録音及び撮像機能付装置。
【請求項１４】
前記撮影者側の携帯電話機の撮影機能はズーム機能を有している
ことを特徴とする請求項１３記載の録音及び撮像機能付装置。
【請求項１５】
被写体側の携帯電話機及び撮影者側の携帯電話機からなり、少なくとも、該撮影者側の携帯電話機は撮影機能を有する録音及び撮像機能付装置の使用方法であって、
上記被写体側の携帯電話機と撮影者側の携帯電話機との間における通話機能を活かして被写体側の音声を撮影者側の携帯電話機に送って該撮影者側の携帯電話機にて撮影とその撮影に伴う録音とを行う
ことを特徴とする録音及び撮像機能付装置の使用方法。
【手続補正２】
【補正対象書類名】明細書
【補正対象項目名】全文
【補正方法】変更
【補正の内容】
【発明の詳細な説明】
【技術分野】
【０００１】
本発明は、録音及び撮像機能を備えた電子機器、例えばディジタルカメラ、ディジタルムービー、ＩＣレコーダ等と、録音及び撮像機能を備えた電子機器を本体とし、それに一つ又は二つのマイクセットを付加し、市販の２台の携帯電話機を活用してカメラから離れた被写体からの音声を良好に録音することができる録音及び撮像機能付装置或いは２台の携帯電話機からなる録音及び撮像機能付装置と、その使用方法と、それ等に用いるマイクセットに関する。
【背景技術】
【０００２】
カメラは、銀塩フィルムに撮影する従来型に代わり、固体撮像素子に撮像して得た撮像信号を例えばメモリカード等に記憶するディジタルカメラが普及し、主流になりつつある。
そして、そのディジタルカメラには、撮影時に音声を録音できるようにしたものがある（特開２００４−１２０１４７号参照）。
このような録音機能付カメラは、撮影に必要な機能を備えていることは当然であるが、更に、マイクロフォンを内蔵し、そのマイクロフォンで収音した信号を処理して音声データを音声ファイルとしてメモリカード等に保存する機能を有している。
【０００３】
図８はそのようなタイプのディジタルカメラの一例である、シャッターを押下している間画像を１秒あたり数十フレーム連続して撮影でき、同時に音声も録音できるディジタルカメラの概略構成を示すブロック図である。
図において、ａは撮像部で、被写体の画像を撮像し、画像情報を電気信号に変換し、液晶ディスプレイ等からなる画像モニター部ｂ及び画像データ作成部ｄへ送出する。画像モニター部ｂは撮像部ａからの画像情報を受け、その画像を再生表示する。
【０００４】
このディジタルカメラのシャッターｃが押下されると、撮像部ａで撮像された画像情報は、画像データ作成部ｄでディジタル信号であって且つ取り扱いやすい形式のデータに変換され、ファイル名作成部ｅにより作成されたファイル名がつけられて画像ファイル保存部ｆに送られる。画像ファイル保存部ｆに送られた画像ファイルは、メモリカード制御部ｇの制御によりメモリカードｈに保存される。
【０００５】
被写体の音声は、内蔵マイク部ｋにおいて受信され、電気信号に変換される。そして、前述のシャッターｃが押下されたときは、その押下されている間、音声データ作成部ｍで内蔵マイクｋからの音声情報はディジタル信号であって且つ取り扱いやすい形式のデータに変換され続け、その押下されている間の音声情報が一つの音声ファイルとして上記ファイル作成部ｅで作成されたファイル名が付けられて画像ファイル保存部ｆに保存される。該画像ファイル保存部ｆに送られた音声ファイルは、メモリカード制御部ｇの制御により、メモリカードｈに保存される
【特許文献１】特開２００４−１２０１４７号
【発明の開示】
【発明が解決しようとする課題】
【０００６】
ところで、図８に示すような従来のディジタルカメラには、下記のような問題があった。第１に、内蔵マイクにより音声を録音するため、ディジタルカメラの周辺の音声しか録音できず、画像の方はズーム機能により遠くの被写体でも大きく写せるようになっているにも拘わらず、遠くの被写体の音声は録音できないという問題があった。
第２に、カメラがアナログからディジタルに進歩したことにより、アナログ写真では画像だけの楽しみであったものが、ディジタル写真では、写真に関連する音声や音楽、更にはテキスト等を一緒に保存し、それをパーソナルコンピュータ（パソコン）等で再生して楽しめるようになる筈である。しかし、従来のディジタルカメラでは、被写体の写真の撮影とそれに対応すべき音声の録音を良好に関係づけて行うことが難しいという問題があり、そのことがパーソナルコンピュータ等で再生して楽しめるようにすることを阻んでいるという問題があった。
【０００７】
本発明はこのような問題点を解決すべく為されたものであり、従来のディジタルカメラ等の録音及び撮影機能付電子機器に内蔵されたマイクでは録音できなかったような離れた距離にある被写体の音声も録音できるようにし、更には、写真の撮影と同時に、写真撮影時とその前後に被写体で収音した音声の録音をも行えるようにすることを目的とする。
【課題を解決するための手段】
【０００８】
請求項１の録音及び撮影機能付電子機器は、外部マイクにより収音され無線で送信される音声情報を受信できる受信部と、該受信部で受信された音声情報から音声データを作成する音声データ作成部と、該音声データ作成部で作成された音声データを保存する音声ファイル保存部と、撮影により得られた画像情報から画像データを作成する画像データ作成部と、該画像データ作成部で作成された画像データを保存する画像ファイル保存部と、上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を少なくとも備えたことを特徴とする。
【０００９】
請求項２の録音及び撮影機能付電子機器は、請求項１記載の録音及び撮影機能付電子機器において、前記外部マイクのスイッチングを、前記録音及び撮影機能付電子機器の操作により為し得るようにしたことを特徴とする。
請求項３の録音及び撮像機能付装置は、外部マイクにより収音し、その収音した音声情報を送信部により無線の音声信号にして送信する音声無線送信セットと、上記外部マイクにより収音され上記送信部により無線送信された上記音声無線送信セットからの音声情報を受信できる受信部、該受信部で受信された音声情報から音声データを作成する音声データ作成部、該音声データ作成部で作成された音声データを保存する音声ファイル保存部、撮影により得られた画像情報から画像データを作成する画像データ作成部、該画像データ作成部で作成された画像データを保存する画像ファイル保存部及び上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を少なくとも備えた録音及び撮影機能付電子機器と、からなることを特徴とする。
【００１０】
請求項４の録音及び撮影機能付電子機器は、音声信号を伝達する経路の端子を着脱可能に接続される音声信号ジャックと、該音声信号ジャックを通じて入力された音声情報から音声データを作成する音声データ作成部と、該音声データ作成部で作成された音声データを保存する音声ファイル保存部と、撮影により得られた画像情報から画像データを作成する画像データ作成部と、該画像データ作成部で作成された画像データを保存する画像ファイル保存部と、上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部と、を少なくとも備えたことを特徴とする。
【００１１】
請求項５の録音及び撮像機能付装置は、請求項２の録音及び撮像機能付装置において、前記外部マイクに、前記音声ファイル保存部に対して音声データの保存動作をスタートさせたりストップさせたりするスイッチを設けたことを特徴とする。
請求項６の録音及び撮像機能付電子機器は、請求項１、２又は４記載の録音及び撮像機能付電子機器において、前記音声ファイル保存部に、シャッターを押した時刻以前の時間と、シャッターを押した時刻以後の時間をそれぞれ設定可能とし、この以前の時間と、シャッターを押していた時間と、以後の時間だけ音声データを保存するようにしたことを特徴とする。
【００１２】
請求項７の録音及び撮像機能付装置は、外部マイクにより収音し、その収音した音声情報を送信部により無線信号にして送信する音声無線送信セットと、該音声無線送信セットからの無線信号による音声情報を受信し、それを端子から出力する音声無線受信セットと、該音声無線受信セットの上記端子が着脱可能に接続される音声信号ジャック、該音声信号ジャックを通じて入力された音声情報から音声データを作成する音声データ作成部、該音声データ作成部で作成された音声データを保存する音声ファイル保存部、撮影により得られた画像情報から画像データを作成する画像データ作成部、該画像データ作成部で作成された画像データを保存する画像ファイル保存部及び上記音声ファイル保存部に保存された音声データからなる音声ファイル及びこの音声ファイルに関連する撮影により上記画像データ作成部にて作成され上記画像ファイル保存部により保存された画像ファイルに、互いを関連付けるファイル名を付与するファイル名作成部を備えた録音及び撮影機能付電子機器と、を有することを特徴とする。
【００１３】
請求項８の録音及び撮像機能付装置は、少なくとも録音ジャックを有し、該録音ジャックから入力された音声信号を録音する録音及び撮像機能付電子機器と、マイク、上記録音ジャックに接続される端子及び携帯電話機の音声ジャックに接続される端子を備え、該両端子及び上記マイク間で音声信号の伝送をするようにしたマイクセットと、を少なくとも備えたことを特徴とする。
請求項９の録音及び撮像機能付装置は、請求項８記載の録音及び撮像機能付装置において、携帯電話機の音声ジャックに接続される端子を備えた被写体側のマイクを有することを特徴とする。
【００１４】
請求項１０の録音及び撮像機能付装置の使用方法は、少なくとも録音ジャックを有し、該録音ジャックから入力された音声信号を録音する録音機能付き撮影機能を備えた電子機器と、マイク、上記録音ジャックに接続される端子及び携帯電話機の音声ジャックに接続される端子を備え、該両端子及び上記マイクロフォン間で音声信号の伝送をするようにしたマイクセットを少なくとも備えた録音及び撮像機能付装置の使用方法であって、市販の２台の携帯電話機を用意し、上記マイクセットの端子を上記録音及び撮像機能付電子機器及び一方の携帯電話機の上記音声ジャックに接続し、上記２台の携帯電話機間における通話機能を活かして被写体側の音声を上記録音及び撮像機能付電子機器に送って撮影に伴う録音を行うことを特徴とする。
【００１５】
請求項１１のマイクセットは、イヤホンマイクの一つの端子からマイクロフォンへ音声信号を送る線路とは別に、その音声信号を分岐させる線路が形成され、上記分岐させる線路の端を以て上記端子とは別の端子であってカメラの録音ジャックに接続される端子とされてなることを特徴とする。
請求項１２の被写体側マイクセットは、イヤホンマイクセット、或いはそれからイヤホンを除いたものからなることを特徴とする。
【００１６】
請求項１３の録音及び撮像機能付装置は、被写体側の携帯電話機及び撮影者側の携帯電話機からなり、少なくとも、上記撮影者側の携帯電話機は撮影機能を有することを特徴とする。
請求項１４の録音及び撮像機能付装置は、請求項１３記載の録音及び撮像機能付装置において、前記撮影者側の携帯電話機の撮影機能はズーム機能を有していることを特徴とする。
請求項１５の録音及び撮像機能付装置の使用方法は、被写体側の携帯電話機及び撮影者側の携帯電話機からなり、少なくとも、該撮影者側の携帯電話機は撮影機能を有する録音及び撮像機能付装置の使用方法であって、上記被写体側の携帯電話機と撮影者側の携帯電話機との間における通話機能を活かして被写体側の音声を撮影者側の携帯電話機に送って該撮影者側の携帯電話機にて撮影とその撮影に伴う録音とを行うことを特徴とする。
【発明の効果】
【００１７】
請求項１の録音及び撮影機能付電子機器によれば、無線で送信される音声情報を受信する受信部で受信された音声情報から音声データを音声データ作成部において作成し、その音声データをファイル（音声ファイル）にして音声ファイル保存部にて保存することとし、更に、その音声ファイルとこれに関連して撮影した画像情報に基づく画像ファイルとに、ファイル名作成部によりつくったところのそのファイル同士を互いに関連付けるファイル名を付与することとしたので、自身（本録音及び撮影機能付電子機器自身）の他には、外部マイクにより収音し、その収音した音声情報を送信部により無線の音声信号にして送信する音声無線送信セットを用意すれば、撮影と録音ができる。
というのは、外部マイクにより収音し、その収音した音声情報を送信部により無線の音声信号にして送信し、電子機器の受信部でそれを受信して音声録音し、別途電子機器自身で撮影した画像を撮影し、その撮影により得た画像情報と共にその音声情報を保存すると、画像ファイルをパーソナルコンピュータ（以下「パソコン」という。）等で画像再生して見るとき、音声ファイルも音声に変換して聴くということができるようになる。
従って、記憶を後世に残す役割を持つ写真に、音声を付随させて保存できるようになれば、写真を音声付きにすることができ、写真の価値を向上させることができる。
そして、外部マイクで収音された音声を無線で送信するようにした音声情報を受信部にて受信するようにしたので、従来、録音及び撮影機能付電子機器（例えばディジタルカメラ）の内部マイクでは録音できなかったような離れた距離にある被写体の音声も録音できるようになる。
【００１８】
請求項２の録音及び撮影機能付電子機器によれば、外部マイクのスイッチング（オン、オフ）を行うことができるので、被写体が子供や動物等のように外部マイクのスイッチング操作（オン、オフ操作）ができなくても、電子機器自身の操作により外部マイクを必要に応じてオンにしたり、オフにしたりすることができ、録音を伴う撮影をスムーズに行うことができるのみならず、外部マイクを使わないときはオフさせることができるようになる。
請求項３の録音及び撮像機能付装置によれば、請求項１の録音及び撮影機能付電子機器と、音声無線送信セットがあるので、自身（本録音及び撮像機能付装置自身）のみで、外部マイクで収音された音声を無線で送信するようにした音声情報を受信部にて受信することができる。
従って、従来、録音及び撮影機能付電子機器（例えばディジタルカメラ）の内部マイクでは録音できなかったような離れた距離にある被写体にて収音された音声も録音できるようになる。
【００１９】
請求項４の録音及び撮影機能付電子機器によれば、音声信号ジャックを備え、該音声信号ジャックを通じて入力された音声情報を請求項１の録音及び撮影機能付電子機器と同様に音声ファイルにし、画像ファイルと関連付けたファイル名を付与して保存できるようにしたので、自身の他に、外部マイクにより収音し、その収音した音声情報を送信部により無線の音声信号にして送信する音声無線送信セットと、そのセットからの無線の音声信号を受信する音声無線受信セットとを用意し、該音声無線受信セットの出力端子を音声信号ジャックに接続することにより、上記外部マイクにより収音した音声を、自身（録音及び撮影機能付電子機器自身）内部にて録音することが可能となる。
【００２０】
請求項５の録音及び撮影機能付装置によれば、前記音声ファイル保存部に音声データの保存をスタートさせたりストップさせたりするスイッチを、外部マイクに設けたので、自身（録音及び撮影機能付電子機器自身）を三脚等に設置して、撮影者が撮影者自身を撮影するときにも、その外部マイクに設けたスイッチの操作により音声の録音をスタートさせたり、ストップさせたりすることができるようになる。
請求項６の録音及び撮影機能付電子機器によれば、音声ファイル保存部に、シャッターを押下する以前の時間と、押下し終えた以後の時間を設定可能とし、シャッターを押下した場合、そのシャッターを押下している時間の他に、その押下する以前の時間と押下し終えた以後の時間を合わせた時間だけ音声データを保存できるようにしたので、画像を撮影するシャッターの操作だけでその前後の音声も録音できるようになる。
従って、シャッタータイミングとしては適切だが、録音タイミングが遅れ、録音に関しては音切れが生じたということを回避することが可能となり、撮影及び録音を適切なタイミングで為すことが可能になる。
【００２１】
請求項７の録音及び撮像機能付装置によれば、被写体側に音声無線送信セットを配置し（例えば被写体に持たせる）、録音及び撮影機能付電子機器の音声信号ジャックに、音声無線受信セットの端子を接続することにより、上記音声無線送信セットにより送信された被写体側の音声を、音声無線受信セットにて受信し、その音声無線受信セットから録音及び撮影機能付電子機器内部に取り込むようにしたので、請求項３の録音及び撮像機能付装置と同様の録音及び撮影をすることができる。
【００２２】
請求項８の録音及び撮像機能付装置によれば、録音ジャックを有し該録音ジャックから入力された音声信号を録音する録音及び撮像機能付電子機器と、マイク、上記録音ジャックに接続される端子及び携帯電話機の音声ジャックに接続される端子を備え、該両端子及び上記マイクロフォン間で音声信号の伝送をするようにしたマイクセットと、を備えたので、手持ちの２台の携帯電話機を併用し、その２台の携帯電話機間における携帯電話通話システムによる通話機能を活かして被写体側マイクで収音した音声を２台の携帯電話機間で伝送することにより、送受信周波数の設定の必要性をなくし、混信、Ｓ／Ｎ低下のおそれを伴うことなく被写体側の音声を電子機器内に録音できるようにすることができる。
【００２３】
即ち、今日、携帯電話機の普及は著しく、一家に１台という段階はとっくに突破し、成人は１人１台所有しているという状態であり、また、未成年でも中学生、高校生以上の生徒、大学生等は１台所有するようになっている。従って、夫婦は各々が１台ずつ携帯電話機を持つことは今や常識である。
であるから、子供と遊園地や運動会に行った場合、或いは、子供が出演する学芸会、演奏会に親が観客として行った場合、子供と親とがそれぞれ１台ずつ持つということは充分に可能である。
【００２４】
そこで、子供に１台の携帯電話機を持たせ（例えば衣服のポケットに入れておくなどする。）る。更には、被写体側マイクセットを持たせ、その端子をその携帯電話機の音声ジャックに接続させる。その被写体側マイクは例えば口元の近傍に位置するようにピンを用いる等して衣服に止めておく。尤も、被写体側マイクセットを用いないで、携帯電話機の内蔵マイクで被写体側の音声の収音を行うこともできる。
一方、親は録音ジャックを有する録音及び撮像機能を備えた電子機器（例えばカメラ）と、マイクセットと、一台の携帯電話機を持ち、そのマイクセットの一方の端子をその携帯電話機の音声ジャックに、他方の端子を電子機器（例えばカメラ）の録音端子に接続しておく。
【００２５】
そして、子供の携帯電話機をオート着信モードに（更に必要に応じてマナーモードに）しておき、子供が例えば台詞を発するするとき或いは演奏をする番になったら、親の携帯電話機からその子供の携帯電話機を呼び出す操作をする。即ち、携帯電話をかけるのである。すると、ほんの何秒かで自動的に親の携帯電話機が子供の携帯電話機に繋がり、親子の携帯電話機間で通話状態が形成される。
従って、子供の学芸会、演奏発表会での演技による台詞、歌唱、演奏の音声が、衣服にピンを用いる等して止められた被写体側マイクによって収音され、それが子供の持つ携帯電話機に入力され、携帯電話通話システムにより親の携帯電話機に送信される。
親の携帯電話機はその送信された音声信号を受信し、その音声信号は音声ジャックを通じて更に撮影者側マイクセットと接続された経路を通じて電子機器（例えばカメラ）に入力され、その電子機器（例えばカメラ）が持つ録音機能により、撮影と共に録音が為されるのである。尚、携帯電話機の種類は多く、種類の違いによってはモードの種類、機能が異なる場合がある。しかし、比較的新しいタイプのものは、ほとんど、オート着信モード、更にはマナーモードを有しているので、本発明には適用可能である。
【００２６】
請求項９の録音及び撮像機能付装置によれば、携帯電話機の音声ジャックに接続される被写体側のマイクを有するので、被写体側の音声を、携帯電話機内蔵のマイクによってではなく、携帯電話機に接続された被写体側のマイクにより収音した音声を録音することができ、より良好に、明確に被写体の音声を録音することが可能になる。
請求項１０の録音及び撮像機能付装置の使用方法によれば、自身（録音及び撮像機能付装置自身）の他に、単に既存の２台の携帯電話機を用意し、その２台の携帯電話機間における携帯電話通話システムによる通話機能を活かして被写体側マイクで収音した音声を２台の携帯電話機間で伝送するので、被写体側のマイクにより収音した音声を録音及び撮影機能付電子機器において録音することができる。
従って、送受信周波数の設定の必要性をなくし、混信、Ｓ／Ｎ低下のおそれを伴うことなく被写体側の音声をそれから離れた電子機器内にて録音できるようにすることができる。
【００２７】
請求項１１のマイクセットによれば、単に、既存のイヤホンマイクセットに線路とその端に接続された端子を付加しただけの簡単な構成で、携帯電話機（撮影者側の携帯電話機）にて受信した音声を録音及び撮影機能付電子機器に伝達するようにできるのみならず、音声をイヤホンによってモニターすることができる。
請求項１２の被写体側のマイクセットによれば、被写体側の音声をマイクにて収音して被写体側の携帯電話機に伝達することができ、被写体側の音声を、携帯電話機内蔵のマイクによってではなく、携帯電話機に接続された被写体側のマイクにより収音した音声を録音することができ、より良好に、明確に被写体の音声を録音することが可能になる。
【００２８】
請求項１３の録音及び撮像機能付装置によれば、被写体側の携帯電話機及び撮影者側の携帯電話機からなり、この撮影者側の携帯電話機は撮影機能を有するので、被写体側で収音した音声を被写体側の携帯電話機から撮影者側の携帯電話機へ、携帯電話通話システムにより送信することができ、撮影者側の携帯電話機で、音声情報を受信すると共に、その携帯電話機が持つ撮影機能により撮影して保存することができる。
従って、少なくとも１台は撮像機能を有する市販の２台携帯電話機（勿論、２台とも撮像機能付でも良い。）を持てば、録音及び撮像機能付装置を構成することができ、録音及び撮像機能付装置を構成するために、特別の電子機器を購入する必要はなく、経済的に優れている。
【００２９】
請求項１４の録音及び撮像機能付装置によれば、録音及び撮像機能付装置において、前記撮影者側の携帯電話機の撮影機能はズーム機能を有しているので、遠いところの被写体をもそのズーム機能によって支障なく撮影することができる。
そして、被写体側で収音した音声を被写体側の携帯電話機から撮影者側の携帯電話機へ、携帯電話通話システムにより送信することができので、被写体との距離が遠くてもその
距離によって音質が悪くなるということはなく、ズーム機能にて撮影されるところの撮影者から遠い距離の被写体の側において収音した音声を、混信、ノイズのおそれを伴うことなく録音ができる。
従って、携帯電話機のズーム機能を充分に活かした撮影を録音を伴って行うことができる。
【００３０】
請求項１５の録音及び撮像機能付装置の使用方法によれば、上記被写体側の携帯電話機と撮影者側の携帯電話機との間における通話機能を活かして被写体側の音声を撮影者側の携帯電話機に送って該撮影者側の携帯電話機にて撮影とその撮影に伴う録音とを行うので、被写体側のマイクにより収音した音声と被写体像を撮影者側の携帯電話機において録音及び撮影することができる。
従って、送受信周波数の設定の必要性をなくし、混信、Ｓ／Ｎ低下のおそれを伴うことなく被写体側の音声をそれから離れた撮影者側の携帯電話機内にて録音できるようにすることができ、それは市販の携帯電話機を用意することによって容易に為し得る。
【発明を実施するための最良の形態】
【００３１】
本発明の形態は、基本的に、録音及び撮影機能付電子機器を主体とし、被写体側で収音した音声を無線でその電子機器内部乃至外部の受信手段に送信するようにしたものであり、マイクで収音した音声を無線で録音及び撮影機能付電子機器（主体）へ送信し、この電子機器側で受信する態様には、一つには、外部マイクを主体とする音声無線送信セットを用い、その外部マイクで収音した音声を無線で送信（無線信号の送信）するようにし、その送信された音声信号を電子機器内部の受信部で或いは電子機器に接続された音声無線受信セットで受信する態様がある。
他には、携帯電話機を２台用い、その２台の携帯電話機間における携帯電話通話システムによる通話機能を活かして、例えば被写体側マイクで収音した音声を２台の携帯電話機間で伝送する態様がある。
【００３２】
上記音声無線送信セットと、電子機器内部の受信部或いは音声無線受信セットを使用する態様は、ＦＭ通信、ブルートゥース(Bluetooth)が好適であり、被写体・電子機器（撮影者）間の距離が１０メートル以上であっても比較的良好な録音ができ、周りの状況によっては、１５メートル程度でも充分実用的レベルでの録音が可能である。
また、携帯電話機を２台用いた技術によれば、携帯電話通話システムによる通話機能を活かすので、被写体・電子機器間の距離には音声に関しては制約が無く、撮影のズーム機能により撮影可能な距離であればどのような距離であっても同じ音質で良好な録音が可能である。しかも、混信やノイズが多いというおそれは伴わない。その面できわめて優れているといえる。特に、撮影機能付携帯電話機としてズーム機能付のものを用いると、そのズーム機能を充分に活かして遠くの被写体を、その被写体で収音した音声の録音と共に撮影することができる。
【００３３】
更に、本発明は、単に、少なくとも１台は撮影機能付携帯電話機である、２台の市販の携帯電話機（２台とも撮影機能付でも良い。）を用意し、少なくとも撮影機能のついた携帯電話機を撮影者用の携帯電話機とし、もう一方の携帯電話機を被写体側の携帯電話機とし、その携帯電話機によって被写体側の音声を収音し、携帯電話通話システムによる通話機能を活かして送信し、撮影者側の携帯電話機で受信し、且つ、撮影するという態様でも実施することができる。
その場合、被写体側の携帯電話機には携帯電話機用の市販のイヤホンマイクセットを接続して、そのイヤホンマイクセットのマイクにより収音し、また、撮影者側の携帯電話機からの通話音声はイヤホンにて聴くようにすることが可能である。
【００３４】
本発明における、上記録音及び撮影機能付電子機器の典型例はスチール（静止）画像を撮影することを主目的とするディジタルカメラ（ディジタルスチールカメラ）であるが、しかし、電子機器は必ずしもディジタルカメラ（ディジタルスチールカメラ）に限らず、例えばムービー（動画）画像を撮影することを主目的とするディジタルムービーカメラ、撮影機能付携帯電話機、ＩＣレコーダであっても良い。
尚、被写体側マイクセットは、携帯電話機用のイヤホンマイクセットをそのまま用いても良い。しかし、イヤホンは不可欠とはいえないので、イヤホンを取り除いても良い。勿論、携帯電話機用イヤホンマイクからイヤホンを除いた構成のものを、本発明録音及び撮像機能付装置専用として製造するようにしても良い。
尤も、被写体側マイクセットを用いず、被写体側の携帯電話機の内蔵マイクをマイクとして収音し、録音、撮影が行われるようにすることも不可能ではない。ただ、被写体となる例えば子供の声をより明確に収音するには、被写体マイクセットのマイクを口元近くに位置させて使用することが好ましい。
【００３５】
また、撮影者側マイクは、市販の携帯電話機用イヤホンマイクに、イヤホンへの信号を分岐して電子機器（例えばカメラ）の録音ジャックに送る経路とその端子を付加した構造のものを用いることができる。しかし、イヤホンは不可欠ではないので、その構造からイヤホンを取り除いた構造のものを用いても良い。尚、市販の携帯電話機用イヤホンマイクを加工して撮影者側マイクを作るようにしても良いが、本発明録音及び撮像機能付装置専用として撮影者側マイクを作るようにしても良いこと、被写体側用マイクの場合と同様である。
【実施例１】
【００３６】
以下に、本発明の第１の実施例を図１（Ａ）、（Ｂ）を参照して説明する。
図１（Ａ）は概略図で、先ず、これを参照してそのディジタルカメラの概略を説明する。図において、１はディジタルカメラ（特許請求の範囲の録音及び撮影機能付電子機器に該当する）、２は外部マイク送信セットの要部を成すマイクで、該外部マイク送信セットは、該マイク２で収音すると共に、収音した音声信号を無線（例えば微弱ＦＭ波）で送信する。この外部マイク２を含む外部マイク送信セットは被写体１０が持つ（勿論、被写体の近くにおいても良い場合もある。）。３は受信窓で、その外部マイク２で収音され該マイク２を要部とする外部マイク送信セットから送信された無線による音声信号をカメラ１内部に受け入れる。
４はシャッターで、撮影するとき操作するものである。５は音声録音ボタン、６は音声モニター用イヤホン、７は映像信号及び音声信号を記憶するメモリカードである。
【００３７】
図１（Ｂ）はディジタルカメラ１の構成を示す回路ブロック図であり、次に、これを参照してこの回路構成及びその動作を説明する。
１１は受信部で、上記被写体１０に配置された外部マイク２で収音され外部マイク送信セット２から送信された無線による音声信号を上記受信窓３越しに受信する。１２は音声モニター部で、受信部１１で受信した音声信号を処理し、イヤホンジャック１３へ送出する。従って、このイヤホンジャック１３に音声モニター用イヤホン６の端子を接続すれば、撮影時に録音した場合、その録音した音声をそのイヤホン６により聴くこと（モニター）ができる。
【００３８】
１４は音声データ作成部で、受信部１１からの音声信号をディジタル信号に変換する等の処理をして音声データを作り、更に、その音声データに、次に述べるファイル名作成部（１５）により作られたファイル名を付加して音声ファイルをつくる動作を繰り返す。
１５はファイル名作成部で、日付（年、付、日）及び日における連続撮影番号とによってファイル名を作成する。１６は音声ファイル保存部で、その音声データ作成部１４で音声ファイルがつくられる毎に、その音声ファイルを記憶する。該音声ファイル保存部１６は音声録音ボタン５で制御され、該ボタン５がオンの状態の間その音声ファイルを保存する。
【００３９】
８は撮像用レンズで、被写体１０の画像を撮像部２１の撮像面に結像する。この撮像部２１は画像を例えば光電変換により電荷に、更には電気的な映像信号に変換する。２２は画像モニター回路で、撮像部２１から出力された映像信号を受けてその信号を再生処理して、例えば液晶ディスプレイからなる画像モニター部２２によって画像再生する。
２４は映像データ作成部で、撮像部２１からの映像信号をディジタル信号に変換する等の処理をして映像データを作り、更に、その映像データに、前述のファイル名作成部１５によって作成されたファイル名を付加して画像ファイルをつくる動作を繰り返す。
【００４０】
２６は画像ファイル保存部で、画像ファイル作成部２４において画像ファイルがつくられる毎にその画像ファイルを記憶する。該画像ファイル保存部２６はシャッター４で制御され、シャッター４が押下されている間、画像ファイルを１秒あたり例えば数十ファイル連続して保存したり、或いは１回の押下で１画像ファイルを保存したりする。
ここで、ファイル名作成部１５では、音声録音ボタン５がオン状態の間を同じシーンであるとし、この間に保存された音声ファイルと、画像ファイルに、互いに関連したファイル名をつける。音声録音ボタン５がオンの状態の間に、シャッターが押下されないときは、音声ファイルのみが音声ファイル保存部１６に保存される。
【００４１】
従って、音声ファイルを、音声録音ボタン５がオンの状態の発生順に通し番号等からなるファイル名と音声データを表す識別子をつけて保存し、音声録音ボタン５がオンの状態の間に、シャッター４を押下して保存した画像ファイルにも、音声ファイルと同じファイル名と画像データを表す識別子をつけることで、これらのファイルを関連付けることができる。但し、動画のように画像ファイルを連続して保存するときは、音声ファイルと同じファイル名に保存順番を示す番号を枝番号として付加するようにする。
１７はメモリカード制御部で、音声ファイル保存部１６と画像ファイル保存部１６で保存されたデータに基づいて画像ファイルとそれに対応する音声ファイルを結びつけてメモリカード７に記憶する。
【００４２】
このようなディジタルカメラ１によれば、録音に関しては、被写体１０に持たせたマイク２により収音した音声が無線でカメラ１内の受信部１１へ送信され、該受信部１１により受信され、受信信号が処理されて画像ファイルとの関連付けてメモリカード７に録音ファイルとして保存されるので、被写体１０がディジタルカメラ１から遠くても被写体１０が身につけたマイク２により収音された音声が音声ファイル化される。
従って、カメラ１から離れた被写体１０からの音声を良好に録音することができるので、前述した課題、例えば親が学芸会等で演技する我が子の姿を撮影すると共に、その我が子の台詞（せりふ）を録音しようとしても、従来においては、カメラによって収音された音声しか録音できず、我が子の台詞がカメラの位置では小さな音声にしかならず、また、騒音によりその小さな音声がかき消されてしまうというような課題を解決することができる。
【実施例２】
【００４３】
次に、本発明の第２の実施例を、そのディジタルカメラ１ａの概略構成を示す回路ブロック図である図２を参照して説明する。
本実施例のディジタルカメラ１ａは、音声録音ボタン５がなく、シャッター４を押下した時刻以前の時間（Ｔ１）と、シャッター４の押下を終えた時刻以後の時間（Ｔ３）とをそれぞれ任意の値に設定可能とし、この以前の時間（Ｔ１）と、シャッター４を押下していた時間（Ｔ２）と、以後の時間（Ｔ３）を合わせた時間（Ｔ１＋Ｔ２＋Ｔ３）だけ音声データを保存するようにしたもので、その音声データ作成時間を音声データ作成時間制御部１９により制御する。
この点でのみ、本実施例は第１の実施例と異なる。
【００４４】
このような実施例によれば、画像を撮影するシャッター４の操作だけで、その前後の音声ファイルも保存できるようにすることにより、音声録音ボタン５がなくても、従来のディジタルカメラの操作と同じ操作を行うことにより音声ファイルの保存をも行うようにすることができるのである。
尚、本実施例は動作において多くの点で第１の実施例と共通するが、動作中は常に音声を取り込み上記時間Ｔ１分の音声信号を常に音声ファイル保存部１６ａに保存しておく必要がある。さもないと、シャッター４を押下する前の時間Ｔ１の録音が不可能になるからである。
【００４５】
即ち、受信部１１で受信された音声信号は、音声データ作成部１４ａでディジタル信号であって且つ取り扱いやすい形式のデータに変換され、音声データ作成時間制御部１９の制御のもと、Ｔ１の時間だけ常に音声ファイル保存部１６ａに保存される。この常にＴ１の時間だけ音声ファイルを保存するメモリ回路は、ＦＩＦＯ（ファーストインファーストアウト）のような回路で構成され、最新の音声データを保存すると同時にＴ１時間を超えた古い音声データは自動的に消去され、常に最新のＴ１時間の音声データを保存し続ける。
【００４６】
次に、シャッター４が押下された場合の音声録画の動作は次のようになる。
シャッター４が押下されると、Ｔ１時間を越えた古い音声データの消去は止め、新しい音声データの保存は継続する。そして、Ｔ２時間とシャッター４の押下を止めた後のＴ３時間が過ぎた時点で、その音声データの保存が終了する。このＴ１、Ｔ２及びＴ３を合わせた時間（Ｔ１＋Ｔ２＋Ｔ３）保存した音声データは、ファイル名作成部１５ａで作成されたファイル名をつけて音声ファイル保存部１６ａに保存される。
【００４７】
ちなみに、画像情報の保存についても説明する。被写体１０（図１（Ａ）参照）の画像は、レンズ８を通して撮像部２１により撮像され、その撮像部２１から出力された映像信号が画像モニター部２２に送られ、画像再生される。
シャッター４が押下されると、撮像部２１で認識された画像情報は、画像データ作成部２４でディジタル信号として取り扱いやすい形式のデータに変換され、ファイル名作成部１５ａで生成されたファイル名を付けられて画像ファイル保存部２６に送られる。
画像ファイル保存部２６での画像データの保存の動作は、シャッター４で制御され、シャッター４が押下されている間、画像ファイルを１秒あたり数十ファイル連続して保存したり、１回の押下で１画像ファイルを保存したりする。
【００４８】
ここで、ファイル名作成部１５ａでは、シャッター４が押下されているＴ２と、その前後のＴ１とＴ３を合わせた時間（Ｔ１＋Ｔ２＋Ｔ３）を同じ一つのシーンであるとし、この時間に保存された音声ファイルに対して、当該画像ファイルと関連したファイル名を付ける。
尚、前述の通り、本実施例においては常に時間Ｔ１分の音声ファイルが音声ファイル保存部１６ａに保存されるようになっているが、シャッター４が押下されても、音声ファイルを作成しないモードを本実施の形態例１ａに設けたり、そのモードを指定するスイッチを設けるようにしても良い。
【実施例３】
【００４９】
図３（Ａ）、（Ｂ）は本発明の第３の実施例を示し、（Ａ）は概略図で、先ず、これを参照してそのディジタルカメラの概略を説明する。図において、１ｂはディジタルカメラ（特許請求の範囲の録音及び撮影機能付電子機器に該当する）で、撮影者が持つ。２ａは音声無線送信セットの要部を成すマイクで、該音声無線送信セットはそのマイク２ａで収音すると共に、収音した音声信号を無線（例えば微弱ＦＭ波）で送信する。この音声無線送信セットは被写体１０が持つ（勿論、被写体の近くにおいても良い場合もある。）。
４はシャッター、５は音声録音ボタン、８はレンズ、２７は録音ジャックで、音声無線受信セット２ｂの出力端子が着脱可能に接続され得る。２８は内蔵マイクである。
【００５０】
本ディジタルカメラ１ｂは、図１（Ａ）、（Ｂ）に示したディジタルカメラ１とは概ね共通するが、外部マイクからの音声を受信するのではなく、音声ジャック（２７）から入力した音声信号を録音するようにしたという違いに起因する相違がある。
即ち、本ディジタルカメラ１ｂには、受信窓３と受信部１１がない。代わりに内蔵マイク２８を有する。また、音声のモニターは、出力端子が録音ジャック２７に接続された音声無線受信セット２ｂのイヤホン４０ｂにて行うので、音声モニター部１２は必要ではなく、存在しない。
そして、録音ジャック２７はあるが、図１（Ａ）のディジタルカメラ１のイヤホンジャック１３とは異なり、音声信号をディジタルカメラ１ｂ内に取り込む入力端子としての役割を果たし、その録音ジャック２７から入力された音声信号は音声データ作成部１４に入力される。
【００５１】
尚、録音ジャック２７に音声無線受信セット２ｂの出力端子が装着されたときはその出力端子からの音声信号が音声データ作成部１４に入力され、録音ジャック２７に端子が装着されていないときは、内蔵マイク２８から出力された音声信号が音声データ作成部１４に入力されるようになっている。
以上が、本ディジタルカメラ１ｂと図１に示したディジタルカメラ１との違いであり、それ以外の点では、図１に示したディジタルカメラ１とは同じである。
【００５２】
次に、実際に本録音及び撮像機能付装置の使用方法について説明する。
撮影者側（ディジタルカメラ１ｂ側）においては、撮影者がディジタルカメラ１ｂを持ち、その録音ジャック２７に音声無線受信セット２ｂの出力端子を接続し、イヤホン４０ｂを耳にあてる。一方、被写体には、上記マイク２ａを具えた音声無線送信セットを持たせ、そのマイク２ａを、被写体の音声をより良く収音出来るように位置させる。ディジタルカメラ１ｂと被写体との距離は例えば１５メートル以下、特に１０メートル程度が好適である。
そして、ディジタルカメラ１ｂを持った撮影者が合図を送り、適当なタイミングで録音ボタン５を押す等の操作をする。すると、音声データ作成部１４、ファイル名作成部１５、音声ファイル保存部１６の働きにより、音声ファイルの作成、保存が開始される。
【００５３】
そして、シャッター４を操作すると、撮像部２１、画像データ作成部２４、ファイル名作成部２４、画像ファイル保存部２６の働きにより画像ファイル保存動作が開始され、露光時間が経過すると、その撮影が終了する。
そして、録音ボタン５をリリースすると、録音が終了する。
尚、音声データ作成部１４、音声ファイル保存部１６、ファイル名作成部１５、撮像部、画像データ作成部２４、画像ファイル保存部２６等の働きは、図１（Ｂ）に示したディジタルカメラ１のそれ等の働きと同じなのでその詳細な説明は省略する。
本発明はこの図３に示すような態様でも実施することができる。
【実施例４】
【００５４】
図４は本発明録音及び撮像機能付装置の第４の実施例のディジタルカメラ１ｃの概略構成を示す回路ブロック図である。
該ディジタルカメラ１ｃは、受信窓３と受信部１１がなく、代わりに内蔵マイク２８を有し、また、音声のモニターを音声無線送信セット２ｂのイヤホン４０ｂにて行うので、音声モニター部１２は必要ではなく、存在しないという点で、図３に示したディジタルカメラ１ｂと共通し、図１、図２に示したディジタルカメラ１、１ａとは相違する。
【００５５】
そして、録音ジャック２７があるが、録音ジャック２７に音声無線送信セット２ｂ等の出力端子が接続されたときはその出力端子から出力された音声信号が録音ジャック２７を経由して音声データ作成部１４に入力され、録音ジャック２７に端子が装着されていないときは、内蔵マイク２８から出力された音声信号が音声データ作成部１４に入力されるようになっているという点でも図３に示したディジタルカメラ１ｂと共通し、図１、図２に示したディジタルカメラ１、１ａとは相違する。
また、音声録音ボタン５がない点で、本ディジタルカメラ１ｃは、図３に示すディジタルカメラ１ｂとは異なるが、図２に示すディジタルカメラ１ａと共通する。
つまり、本実施例は、第３の実施例を、シャッター４が押下されているＴ２と、その前後の時間Ｔ１とＴ３を合わせた時間（Ｔ１＋Ｔ２＋Ｔ３）を同じ一つのシーンであるとし、この時間に保存された音声ファイルに、当該画像ファイルに関連したファイル名を付けることができるようにアレンジしたものである。しかし、それ以外の点では、図３に示す実施例とは異なるところはない。
【００５６】
そして、音声データ作成部１４に音声信号が入力されたときの本ディジタルカメラ１ｃのシャッター４が押されたときの、その音声データ作成部１４、音声ファイル保存部１６ａ、ファイル名作成部１５、撮像部、画像データ作成部２４、画像ファイル保存部２６、撮像部２１、画像データ作成部２４、画像ファイル保存部２６及びメモリカード制御部１７等の動作は、図３に示したディジタルカメラ１ｂのそれ等の働きと同じであり、その説明は重複するので省略する。
【００５７】
尚、上記各実施例において、前記音声無線送信セットの外部マイク２ａに、前記音声ファイル保存部１６、１６ａに対して音声データの保存動作をスタートさせたりストップさせたりするスイッチを設けるようにするようにしても良い。
なぜならば、ディジタルカメラ１、１ａ、１ｂ、１ｃ自身を三脚等に設置して、撮影者が撮影者自身を撮影するときにも、その外部マイクに設けたスイッチの操作により音声の録音をスタートさせたり、ストップさせたりすることができるようになるからである。
【００５８】
更に、上記各実施例において、音声無線送信セットの前記外部マイク２、２ａのスイッチングを、ディジタルカメラの操作により為し得るようにしても良い。
というのは、被写体が子供や動物等のように外部マイクのスイッチング操作（オン、オフ操作）ができなくても、ディジタルカメラ１、１ａ、１ｂ、１ｃの操作により外部マイク２、２ａを必要に応じてオンにしたり、オフにしたりすることができ、録音を伴う撮影をスムーズに行うことができるのみならず、外部マイク２、２ａを使わないときはオフさせることができるようになるからである。。
【実施例５】
【００５９】
図５及び図６は本発明の第５の実施例を示すもので、図５（Ａ）、（Ｂ）は録音及び撮像機能付装置の基本構成図で、（Ａ）は撮影者側を、（Ｂ）は被写体側をそれぞれ示し、図６（Ａ）、（Ｂ）は一つの使用例を説明する斜視図で、（Ａ）は撮影者側を、（Ｂ）は被写体側をそれぞれ示す。尚、録音及び撮像機能付の電子機器であるディジタルカメラの回路構成は図３に示す回路ブロック図と全く同じなので、図示を省略し、動作説明は図３を参照して行う。
図面において、１ｂは録音及び撮像機能付の電子機器であるディジタルカメラであり、図３に示すものと同様である。図６に示す使用例では、図６（Ｂ）に示すようにお父さん１００が持ち、使用する。該ディジタルカメラ１ｂは、図３に示したディジタルカメラ１ｂとは同じであり、既にその構成及び動作は説明済みであるので、詳細な説明を省略する。
【００６０】
３０ａは図６（Ａ）に示すように撮影をするお父さん１００が持つ撮影者側の携帯電話機であり、音声ジャック３２ａを有する。３４ａは音声無線送信セットで、市販の携帯電話機用イヤホンマイクセットの音声信号線にその音声信号を分岐する分岐線３５（実線で示すように接続しても良いし、破線で示すように接続しても良い。）を接続し、その分岐線３５の端に、上記カメラ１ｂの上記音声ジャック２７と着脱自在に接続される端子３６を接続したものである。
尚、３８ａはマイク、４０ａはイヤホンである。このイヤホン４０ａはあってもなくても良い。マイク３８ａは被写体（例えば子供）１０へ音声で指示をするのに使うことができる。
そして、使用時には、元々あるイヤホンマイクセットの端子３７は携帯電話機３２ａの音声ジャック３２ａに接続し、また、上記端子３６は当然のことながらディジタルカメラ１ｂの音声ジャック２７に接続することが必要である。
【００６１】
３０ｂは図６（Ｂ）に示すように被写体となるお子様１０が持つ市販の携帯電話機で、メーカー、機種が携帯電話機３０ａと同じであることは必要ではなく、携帯電話ネットワークを利用した通話が可能であれば良い。そして、例えば、携帯電話機３０ａはお父さん１００がいつも用いているものを、携帯電話機３０ｂはお母さん（図面には現れない）がいつも用いているものを用いることにより、つまり既にある２台の携帯電話機を本発明に係る録音及び撮像機能付装置と併用することにより録音、撮影が可能であり、本録音及び撮像機能付装置による録音、撮影のためだけに専用の携帯電話機を購入するということは必要ではない。
尚、３２ａは携帯電話機３０ａの音声ジャックである。
【００６２】
３４ｂは被写体側マイクセットで、市販のイヤホンマイクセットをそのまま用いても良いし、イヤホンをなくしても良い。というのは、イヤホンは撮影者側からの指示を受ける場合に、そのイヤホンを通じて指示を聞くことができるという利便さがあるが、被写体側マイクセットの最大の役割は、被写体側における音声を収音し、携帯電話通信ネットワークを利用して撮影者側の携帯電話機に音声情報が伝わるようにすることにあるので、マイクセットがあれば被写体側マイクセットとして最低限必要な機能を果たしうるからである。
尚、被写体側マイクセット３４ｂを用いず、携帯電話機３０ｂの内蔵マイクを利用して収音するようにしても良い。
【００６３】
３８ｂはマイクで、それにはピン４２が固定されている。このピン４２を用いて衣服の一部にマイク３８ｂを位置させてお子様１０の口元からの音声を有効に収音するようにすると良い。４０ｂはイヤホンである。このイヤホン４０ｂはなくても良い（故に破線で示した。）が、あると、お子様１０の耳に直接撮影者側のお父さん１００の指示（例えば「写すからちゃんとしてよね」とか「撮るから笑って」等）、その他のメッセージ（例えば「頑張って」、「いいよ」等）を送ることが可能である。
【００６４】
次に、実際に本録音及び撮像機能付装置の使用方法について説明する。
撮影者側においては、撮影者側携帯電話機３２ａの音声ジャック３２ａに音声無線送信セット３４ａの端子３７を接続し、ディジタルカメラ１ｂの録音ジャック２７に音声無線送信セット３４ａの端子３６を接続する。すると、内蔵マイク２８と音声データ作成部１４との間が切断された状態になる。
そして、イヤホン４０ａを耳に（イヤホン４０ａがある場合）、マイク３８ａを口元に位置させる。
【００６５】
一方、被写体側においては、お子様１０ｂに被写体側携帯電話機３０ｂを持たせ、例えば衣服のポケットに忍ばせさせる。そして、被写体側マイクセット３４ｂの端子を音声ジャック３２ｂに接続させ、ピン４２をマイク３８ｂが口元近くに位置するように衣服に止める。そして、被写体側携帯電話機３２ｂの電源をオンにし、オート着信モードにする。
そして、お父さん１００は撮影者側携帯電話機３２ａを操作して被写体側携帯電話機３２ｂを呼び出す。すると、何秒か後に被写体側携帯電話機３２が呼び出され、自動的に通話状態が形成される。
【００６６】
そこで、お父さん１００が話しかけ、撮る旨を伝えると、その音声がお子様１０の耳に入る。そして、録音ボタン５を操作すると、音声データ作成部１４、ファイル名作成部１５、音声ファイル保存部１６の働きにより、音声ファイルの作成、保存が開始される。
そして、シャッター４を操作すると、撮像部２１、画像データ作成部２４、ファイル名作成部２４、画像ファイル保存部２６の働きにより画像ファイル保存動作が開始され、露光時間が経過すると、その撮影が終了する。
そして、録音ボタン５をリリースすると、録音が終了する。
尚、音声データ作成部１４、音声ファイル保存部１６ａ、ファイル名作成部１５、撮像部２１、画像データ作成部２４、画像ファイル保存部２６等の働きは、前述のとおり図３（Ｂ）に示したディジタルカメラ１のそれ等の働きと同じである。
【００６７】
このような実施例によれば、２台の携帯電話機３０ａ・３０ｂ間における携帯電話通話システムにより形成された通話状態を利用して、被写体側マイク３８ｂで収音した音声をディジタルカメラ１ｂに録音させることができるので、被写体側から撮影者側への音声情報の伝送のために送受信周波数を設定するという必要性をなくし、混信、Ｓ／Ｎ低下のおそれを伴うことなく被写体側の音声を電子機器内に録音できるようにすることができる。
【００６８】
尚、本実施例において、そのディジタルカメラ１ｂに代えて図４に示すディジタルカメラ１ｃを用いるようにしても良い。
即ち、そのようにした場合は、音声録音ボタン５がなく、シャッター４を押下した時刻以前の時間（Ｔ１）と、シャッター４の押下を終えた時刻以後の時間（Ｔ３）とをそれぞれ任意の値に設定可能とし、この以前の時間（Ｔ１）と、シャッター４を押下していた時間（Ｔ２）と、以後の時間（Ｔ３）を合わせた時間（Ｔ１＋Ｔ２＋Ｔ３）だけ音声データを保存するようにすることができ、その音声データ作成時間は音声データ作成時間制御部１９により制御される。
【実施例６】
【００６９】
図７（Ａ）、（Ｂ）は本発明の第６の実施例を示すもので、（Ａ）は概略図、（Ｂ）は
この実施例の一つの使用例を示す斜視図である。
本実施例は、撮影者側が持つ録音及び撮影機能付電子機器として、図７（Ａ）に示すように、撮影機能付携帯電話機３０ａを用いる。この撮影機能付携帯電話機としてズーム機能を用いると良いことは言うまでもない。被写体には、図７（Ｂ）に示す携帯電話機３０ｂを持たせる。被写体側の携帯電話機３０ｂは通話機能があれば充分であるが、撮影機能はあっても良いし、無くても良い。３４ａ、３４ｂはイヤホンマイクセットである。
【００７０】
そして、図７（Ｂ）に示すように、撮影者、お父さん１００が撮影機能付携帯電話機３０ａを持ち、それに接続したイヤホンセット３４ａのイヤホンを耳にし、マイクを口元にセットする。
同様に、被写体、お子様１０には、携帯電話機３０ｂを持たせ、それに接続したイヤホンマイクセット３４ｂのイヤホンを耳にさせ、マイクを口元にセットさせる。
そして、図５、図６に示した実施例とほぼ同様に、携帯電話通話システムによる通話機能を活かして被写体、例えばお子様１０の持つ携帯電話機３０ｂにより収音した音声を、撮影者、例えばお父さん１００が持つ携帯電話機３０ａにより受信し、録音し、また、被写体の撮影を行う。
本実施例によれば、ズーム機能のついた撮影機能付携帯電話機３０ａを用い、ズーム機能を最大限活かして遠い被写体の画像を撮影しても、その距離とは関係なく、携帯電話通話システムによる通話機能により定まる音質での音声録音ができる。
【産業上の利用可能性】
【００７１】
本発明は、録音及び撮像機能を備えた電子機器を本体とし、それに一つ又は二つのマイクセットを付加し、市販の２台の携帯電話機を活用してカメラから離れた被写体からの音声を良好に録音することができる録音及び撮像機能付装置と、その使用方法並びに、それに用いるマイクセット、或いは携帯電話機そのものを電子機器として用いた録音及び撮像機能を備えた装置について産業上の利用可能性を有する。
そして、上記録音及び撮像機能を備えた電子機器の典型例は、ディジタルスチールカメラであるが、必ずしもそれに限定されるものではなく、例えば、ビデオカメラ（ムービー）カメラ等、録音及び撮像機能を備えたものは、すべて本発明における録音及び撮像機能を備えた電子機器になり得る。
【図面の簡単な説明】
【００７２】
【図１】（Ａ）、（Ｂ）は本発明の第１の実施例を示すもので、（Ａ）は概略図、（Ｂ）は録音及び撮像機能付電子機器の回路構成図である。
【図２】本発明の第２の実施例の録音及び撮像機能付電子機器の回路構成図である。
【図３】（Ａ）、（Ｂ）は本発明の第３の実施例を示すもので、（Ａ）は概略図、（Ｂ）は録音及び撮像機能付電子機器の回路構成図である。
【図４】本発明の第４の実施例の録音及び撮像機能付電子機器の回路構成図である。
【図５】（Ａ）、（Ｂ）は本発明の第５の実施例を示すもので、（Ａ）は撮影者側を、（Ｂ）は被写体側を示す。
【図６】（Ａ）、（Ｂ）は本発明の第５の実施例の一つの使用例を示すもので、（Ａ）は撮影者側を、（Ｂ）は被写体側を示す。
【図７】（Ａ）、（Ｂ）は本発明の第６の実施例を示すもので、（Ａ）は概略図、（Ｂ）は一つの使用例を示す。
【図８】ディジタルカメラの従来例を示す回路構成図である。
【符号の説明】
【００７３】
１ｃ、１ｄ・・・録音及び撮像機能付電子機器（ディジタルカメラ）、
２、２ａ・・・音声無線送信セットの外部マイク、２ｂ・・・音声無線受信セット、
４・・・シャッター、５・・・音声録音ボタン、８・・・レンズ、
１０・・・被写体（お子様）、２７・・・音声ジャック、２８・・・内蔵マイク、
３０ａ・・・撮影者側携帯電話機、３０ｂ・・・被写体側携帯電話機、
３２ａ、３２ｂ・・・音声ジャック、３４ａ・・・音声無線送信セット、
３５・・・既存のイヤホンマイクセットに付加した分岐線、３６・・・分岐線の端子、
３７・・・既存のイヤホンマイクセットに元々ある端子、
３６・・・音声無線送信セット３４ａの端子、３８ａ・・・マイク、
３４ｂ・・・被写体側マイクセット、３８ｂ・・・マイク、４０ｂ・・・イヤホン、
４２・・・ピン、１００・・・撮影者（お父さん）。